(57)【要約】【課題】本発明は新型の安全消毒装置を開示した。【解決手段】装置主体、前記装置主体に設置されるスプレイ消毒装置及び前記装置主体に設置される照明装置を含み、前記スプレイ消毒装置が前記装置主体に固定に設置されるかつ左右に貫通する消毒薬液パイプを含み、前記装置主体にかつ前記消毒薬液パイプの下側に第一空き筐体が設置され、前記第一空き筐体の左側の内壁に近接する上側の内壁に前記第一空き筐体と前記消毒薬液パイプを連通する第一インレットパイプが設置される。数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならなく、本装置の目的は上記の問題を解決できる新型の安全消毒装置を提供することにある。【選択図】図１
2019202110.tif 000002
【特許請求の範囲】
【請求項１】
本発明の新型の安全消毒装置は、装置主体、前記装置主体に設置されるスプレイ消毒装置及び前記装置主体に設置される照明装置を含み、前記スプレイ消毒装置が前記装置主体に固定に設置されるかつ左右に貫通する消毒薬液パイプを含み、前記装置主体にかつ前記消毒薬液パイプの下側に第一空き筐体が設置され、前記第一空き筐体の左側の内壁に近接する上側の内壁に前記第一空き筐体と前記消毒薬液パイプを連通する第一インレットパイプが設置され、前記第一空き筐体の右側の内壁に近接する上側の内壁に前記第一空き筐体と消毒薬液パイプを連通する第二インレットパイプが設置され、前記第一空き筐体の中に左右にスライドする第一スライドブロックが設置され、前記第一スライドブロックの右側の端面と前記第二空き筐体の右側の内壁の間に第一ばねが固定に接続され、前記第一スライドブロックに第二空き筐体が設置され、前記第一空き筐体の右側の内壁に第三インレットパイプが左右に貫通し設置され、前記第二空き筐体の上側の内壁に前記第二インレットパイプと連通する第一スルーホールが貫通し設置され、前記第二空き筐体の下側の内壁に第二スルーホールが上下に貫通するかつ左右に陳列に分布し設置され、一番左側の前記第二スルーホールの左側の内壁に前記第一空き筐体を連通する第三スルーホールが設置され、前記第一空き筐体の上側の内壁に第三空き筐体が連通し合って設置され、前記第三空き筐体の左側の内壁に第四空き筐体が連通し合って設置され、前記第四空き筐体の左側の内壁に第一電気が固定に設置され、前記第一電機の右側に前記第四空き筐体の中に左右にスライドする第二スライドブロックが設置され、前記第一電機の右端に前記第二スライドブロックとねじで係合し接続するねじ山レバーが動力で係合し接続され、前記第二スライドブロックに右向きの第五空き筐体が設置され、前記第五空き筐体の左側内壁に近接する上側内壁に第一楔が固定に接続され、前記第五空き筐体の右端の開口に近接する下側の内壁に第二楔が前後対称に設置され、前記第五空き筐体の中に前記第一楔の下端及び前記第二楔の上端にスライドする第三スライドブロックが設置され、前記第四空き筐体の中に上下にスライドする第四スライドブロックが設置され、その中に、前記第一スライドブロックの上側の端面に上向きかつ前記第四スライドブロックと掛り合う第一溝が設置され、前記第一溝の下側の内壁に第一圧力ブロックが固定に設置され、前記第四スライドブロックの左側の端面に左向きの第六空き筐体が設置され、前記第六空き筐体の中に上下にスライドする第五スライドブロックが設置され、前記第五スライドブロックの下側の端面と前記第六空き筐体の下側の内壁の間に第二ばねが固定に接続され、前記第五スライドブロックの左側の端面に第一接続レバーが固定に接続され、前記第一接続レバーの左端が前記第三スライドブロックに固定に接続され、前記第三空き筐体の右側の内壁に食違い装置が設置され、前記食違い装置が前記第三空き筐体の右側の内壁に連通し合って設置される第七空き筐体を含み、前記第七空き筐体の中に左右にスライドする第六スライドブロックが設置され、その中に、前記第四スライドブロックの右側の端面に右向きのかつ前記第七スライドブロックと掛り合う第二溝が設置され、前記第六スライドブロックの右側の端面と前記第七空き筐体の右側の内壁の間に第三ばねが固定に接続され、前記第七空き筐体の下側の内壁に第八空き筐体が連通し合って設置され、前記第六スライドブロックの下側の端面に前記第八空き筐体の中に伸びて通す第八スライドブロックが固定に接続され、前記第八空き筐体の左側内壁に近接する下側内壁に第四スルーホールが上下に貫通し設置され、前記第八空き筐体の右側内壁に近接する下側内壁に第五スルーホールが上下に貫通し設置され、初期状態にある時、前記第五スルーホールと前記第一スルーホールが連通し合い、前記第八空き筐体の中に連通溝が設置され、前記連通溝の二つの開口が前記第八スライドブロックの左右両側にあるかついずれも前記第八空き筐体と連通し合い、その中に前記第二空き筐体の上側の内壁に前記第四スルーホールと連通し合う第六スルーホールが連通し合って設置され、初期状態にある時、前記第六スルーホールと前記第四スルーホールが左右にずらし、前記第六スルーホールの内壁に第一通水弁が固定に設置され、前記装置主体の下側の端面に水煙噴射ノズルが固定に設置され、前記水煙噴射ノズルの上端と前記第一空き筐体の間に第七スルーホールが連通し合い設置され、初期状態にある時、前記第七スルーホールと前記第二スルーホールが左右にずらし設置され、前記第一インレットパイプの内壁に第二通水弁が設置され、前記第三インレットパイプの内壁に第三通水弁が固定に設置され、前記第三スルーホールの内壁に第四通水弁が固定に設置され、前記装置主体に蓄電池が固定に設置され、前記蓄電池が本装置にエネルギーを提供し、前記装置主体の上側の端面の中部位置に接続固定柱が固定に接続され、本装置が前記接続固定柱を通じて固定され、前記第五スライドブロックが前記第六空き筐体の中に上下にスライドし、左右には移動できず、前記照明装置が左右対称のかつ前記装置主体の下側の端面に固定に接続される照明固定ブロックを含み、前記照明固定ブロックの下側の端面に照明ランプが固定に接続される。
【発明の詳細な説明】
【技術分野】
【０００１】
本発明は家畜養殖技術分野に関し、具体的には、新型の安全消毒装置に関する。
【背景技術】
【０００２】
数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならない。伝統的には人工で消毒薬液をすプレイして消毒を行うため、効率が低下だけでなく、スプレイの効果にも保証できず、そのため、遠隔制御だけで消毒薬液のスプレイができる新型の安全消毒装置を提供するのが実に必要である。
【先行技術文献】
【特許文献】
【０００３】
【特許文献１】中国特許出願公開第103550800号明細書
【発明の概要】
【発明が解決しようとする課題】
【０００４】
本発明の目的は上記の背景技術に提出された問題を解決するための新型の安全消毒装置を提供することにある。
【課題を解決するための手段】
【０００５】
本発明は以下の技術プランで実現する：本発明の新型の安全消毒装置は、装置主体、前記装置主体に設置されるスプレイ消毒装置及び前記装置主体に設置される照明装置を含み、前記スプレイ消毒装置が前記装置主体に固定に設置されるかつ左右に貫通する消毒薬液パイプを含み、前記装置主体にかつ前記消毒薬液パイプの下側に第一空き筐体が設置され、前記第一空き筐体の左側の内壁に近接する上側の内壁に前記第一空き筐体と前記消毒薬液パイプを連通する第一インレットパイプが設置され、前記第一空き筐体の右側の内壁に近接する上側の内壁に前記第一空き筐体と消毒薬液パイプを連通する第二インレットパイプが設置され、前記第一空き筐体の中に左右にスライドする第一スライドブロックが設置され、前記第一スライドブロックの右側の端面と前記第二空き筐体の右側の内壁の間に第一ばねが固定に接続され、前記第一スライドブロックに第二空き筐体が設置され、前記第一空き筐体の右側の内壁に第三インレットパイプが左右に貫通し設置され、前記第二空き筐体の上側の内壁に前記第二インレットパイプと連通する第一スルーホールが貫通し設置され、前記第二空き筐体の下側の内壁に第二スルーホールが上下に貫通するかつ左右に陳列に分布し設置され、一番左側の前記第二スルーホールの左側の内壁に前記第一空き筐体を連通する第三スルーホールが設置され、前記第一空き筐体の上側の内壁に第三空き筐体が連通し合って設置され、前記第三空き筐体の左側の内壁に第四空き筐体が連通し合って設置され、前記第四空き筐体の左側の内壁に第一電気が固定に設置され、前記第一電機の右側に前記第四空き筐体の中に左右にスライドする第二スライドブロックが設置され、前記第一電機の右端に前記第二スライドブロックとねじで係合し接続するねじ山レバーが動力で係合し接続され、前記第二スライドブロックに右向きの第五空き筐体が設置され、前記第五空き筐体の左側内壁に近接する上側内壁に第一楔が固定に接続され、前記第五空き筐体の右端の開口に近接する下側の内壁に第二楔が前後対称に設置され、前記第五空き筐体の中に前記第一楔の下端及び前記第二楔の上端にスライドする第三スライドブロックが設置され、前記第四空き筐体の中に上下にスライドする第四スライドブロックが設置され、その中に、前記第一スライドブロックの上側の端面に上向きかつ前記第四スライドブロックと掛り合う第一溝が設置され、前記第一溝の下側の内壁に第一圧力ブロックが固定に設置され、前記第四スライドブロックの左側の端面に左向きの第六空き筐体が設置され、前記第六空き筐体の中に上下にスライドする第五スライドブロックが設置され、前記第五スライドブロックの下側の端面と前記第六空き筐体の下側の内壁の間に第二ばねが固定に接続され、前記第五スライドブロックの左側の端面に第一接続レバーが固定に接続され、前記第一接続レバーの左端が前記第三スライドブロックに固定に接続され、前記第三空き筐体の右側の内壁に食違い装置が設置される。
【０００６】
優先的な技術プランとして、前記食違い装置が前記第三空き筐体の右側の内壁に連通し合って設置される第七空き筐体を含み、前記第七空き筐体の中に左右にスライドする第六スライドブロックが設置され、その中に、前記第四スライドブロックの右側の端面に右向きのかつ前記第七スライドブロックと掛り合う第二溝が設置され、前記第六スライドブロックの右側の端面と前記第七空き筐体の右側の内壁の間に第三ばねが固定に接続され、前記第七空き筐体の下側の内壁に第八空き筐体が連通し合って設置され、前記第六スライドブロックの下側の端面に前記第八空き筐体の中に伸びて通す第八スライドブロックが固定に接続され、前記第八空き筐体の左側内壁に近接する下側内壁に第四スルーホールが上下に貫通し設置され、前記第八空き筐体の右側内壁に近接する下側内壁に第五スルーホールが上下に貫通し設置され、初期状態にある時、前記第五スルーホールと前記第一スルーホールが連通し合い、前記第八空き筐体の中に連通溝が設置され、前記連通溝の二つの開口が前記第八スライドブロックの左右両側にあるかついずれも前記第八空き筐体と連通し合い、その中に前記第二空き筐体の上側の内壁に前記第四スルーホールと連通し合う第六スルーホールが連通し合って設置され、初期状態にある時、前記第六スルーホールと前記第四スルーホールが左右にずらし、前記第六スルーホールの内壁に第一通水弁が固定に設置される。
【０００７】
優先的な技術プランとして、前記装置主体の下側の端面に水煙噴射ノズルが固定に設置され、前記水煙噴射ノズルの上端と前記第一空き筐体の間に第七スルーホールが連通し合い設置され、初期状態にある時、前記第七スルーホールと前記第二スルーホールが左右にずらし設置される。
【０００８】
優先的な技術プランとして、前記第一インレットパイプの内壁に第二通水弁が設置され、前記第三インレットパイプの内壁に第三通水弁が固定に設置され、前記第三スルーホールの内壁に第四通水弁が固定に設置される。
【０００９】
優先的な技術プランとして、前記装置主体に蓄電池が固定に設置され、前記蓄電池が本装置にエネルギーを提供する。
【００１０】
優先的な技術プランとして、前記装置主体の上側の端面の中部位置に接続固定柱が固定に接続され、本装置が前記接続固定柱を通じて固定される。
【００１１】
優先的な技術プランとして、前記第五スライドブロックが前記第六空き筐体の中に上下にスライドし、左右には移動できない。
【００１２】
優先的な技術プランとして、前記照明装置が左右対称のかつ前記装置主体の下側の端面に固定に接続される照明固定ブロックを含み、前記照明固定ブロックの下側の端面に照明ランプが固定に接続される。
【発明の効果】
【００１３】
本発明の有益効果は：本発明は構造が簡単で、操作が便利で、本装置を使用する過程で、この時に第二通水弁、第三通水弁と第四通水弁が同時に開き、この時に消毒薬液パイプの中の消毒水が第一インレットパイプを通して第一空き筐体に入り、また第三インレットパイプを通して第二空き筐体の中に入り、この時に第一空き筐体と第三インレットパイプに入った消毒薬液が第一スライドブロックを右へ押さえ、これによって第一スライドブロックが第一ばねの弾力作用を抵抗して右へ移動し、その上で第一スルーホールと第二インレットパイプが連通し合い、第二スルーホールと第七スルーホールが連通し合い、この時に消毒薬液の噴射を行い、この過程で、第一スライドブロックが右側へ移動する時に、第四スライドブロックが第二ばねの牽引力の作用のもとで第一溝に引掛り、ひいては第一スライドブロックの左右への移動を控え、同時に第六スライドブロックが第二溝に引っ掛ってひいては第四スライドブロックの昇降をリミットし、この時に第六スライドブロックによって第八スライドブロックを左側へ移動させ、この時に連通溝の二つの開口がいずれも第八スライドブロックの右側にあり、この時に第四スルーホールと第六スルーホールが連通し合い、この時に第一圧力ブロックが圧力作用を検出し、この時に第一通水弁が締める状態にあり、同時に第二通水弁が締める状態にあり、同時に第一電機が回転し、ひいては第二スライドブロックが右側へ移動され、ひいては第一楔と第二楔によって第三スライドブロックを上へ押さえ、ひいては第五スライドブロックを上へ移動させ、この時に第二ばねが伸張する状態にあり、スプレイを閉じる時に、第一通水弁が開き、この時に第二空き筐体の中の高圧消毒薬液が第六スルーホール及び第四スルーホールを通して第八空き筐体に入り、ひいては第八スライドブロックを右へ押さえて移動させ、ひいては第六スライドブロックが第三ばねの弾力作用を抵抗し右側へ移動して第一接続レバーから離脱し、この時に第四スライドブロックが第一溝から離脱し、この時に第一圧力ブロックが圧力作用を検出しできずに本装置を初期状態に還元させ、この過程で、第八スライドブロックの左側の端面が連通溝の左端の開口を通過した後で、第八空き筐体の中の液体が連通溝を通して第一スルーホールに入り、同時に第六スライドブロックが継続して第四スライドブロックに押さえて初期状態に戻り、同時に第三通水弁が締める時に、第一スライドブロックが第一ばねの弾力作用を受けて左側へ移動し、この時に第一空き筐体の中の消毒水が第三スルーホールを通して一番左側の第七スルーホールに入り、更に第一スライドブロックが完全に初期状態に戻る時に第四通水弁が締め、この時に本装置がスプレイが停止し、本装置によって消毒の開閉を遠隔で制御でき、同時に使わない状態で本装置の消毒薬液パイプが遮断されるため、水の漏れちゃうことを防止し不必要な浪費を避ける。同時に人工消毒より消毒薬液のスプレイ効率を高め、人工を節約し、ご使用にお勧めです
【図面の簡単な説明】
【００１４】
説明しやすいため、本発明は以下の具体的な実施例と付図を交え詳しく説明する。
【００１５】
【図１】図1は本発明の新型の安全消毒装置の内部構造概略図である。
【図２】図2は図1の「A-A」の構造概略図である。
【図３】図3は図1の「B」の拡大概略図である。
【発明を実施するための形態】
【００１６】
図1〜図3が示すように、本発明の新型の安全消毒装置は、装置主体11、前記装置主体11に設置されるスプレイ消毒装置及び前記装置主体11に設置される照明装置を含み、前記スプレイ消毒装置が前記装置主体11に固定に設置されるかつ左右に貫通する消毒薬液パイプ21を含み、前記装置主体11にかつ前記消毒薬液パイプ21の下側に第一空き筐体27が設置され、前記第一空き筐体27の左側の内壁に近接する上側の内壁に前記第一空き筐体27と前記消毒薬液パイプ21を連通する第一インレットパイプ22が設置され、前記第一空き筐体27の右側の内壁に近接する上側の内壁に前記第一空き筐体27と消毒薬液パイプ21を連通する第二インレットパイプ42が設置され、前記第一空き筐体27の中に左右にスライドする第一スライドブロック71が設置され、前記第一スライドブロック71の右側の端面と前記第二空き筐体43の右側の内壁の間に第一ばね44が固定に接続され、前記第一スライドブロック71に第二空き筐体43が設置され、前記第一空き筐体43の右側の内壁に第三インレットパイプ28が左右に貫通し設置され、前記第二空き筐体43の上側の内壁に前記第二インレットパイプ42と連通する第一スルーホール61が貫通し設置され、前記第二空き筐体43の下側の内壁に第二スルーホール33が上下に貫通するかつ左右に陳列に分布し設置され、一番左側の前記第二スルーホール33の左側の内壁に前記第一空き筐体27を連通する第三スルーホール32が設置され、前記第一空き筐体27の上側の内壁に第三空き筐体47が連通し合って設置され、前記第三空き筐体47の左側の内壁に第四空き筐体39が連通し合って設置され、前記第四空き筐体39の左側の内壁に第一電気23が固定に設置され、前記第一電機23の右側に前記第四空き筐体39の中に左右にスライドする第二スライドブロック68が設置され、前記第一電機23の右端に前記第二スライドブロック69とねじで係合し接続するねじ山レバー25が動力で係合し接続され、前記第二スライドブロック68に右向きの第五空き筐体26が設置され、前記第五空き筐体26の左側内壁に近接する上側内壁に第一楔36が固定に接続され、前記第五空き筐体26の右端の開口に近接する下側の内壁に第二楔38が前後対称に設置され、前記第五空き筐体26の中に前記第一楔36の下端及び前記第二楔38の上端にスライドする第三スライドブロック41が設置され、前記第四空き筐体39の中に上下にスライドする第四スライドブロック48が設置され、その中に、前記第一スライドブロック71の上側の端面に上向きかつ前記第四スライドブロック48と掛り合う第一溝54が設置され、前記第一溝54の下側の内壁に第一圧力ブロック55が固定に設置され、前記第四スライドブロック48の左側の端面に左向きの第六空き筐体52が設置され、前記第六空き筐体52の中に上下にスライドする第五スライドブロック51が設置され、前記第五スライドブロック51の下側の端面と前記第六空き筐体52の下側の内壁の間に第二ばね53が固定に接続され、前記第五スライドブロック51の左側の端面に第一接続レバー46が固定に接続され、前記第一接続レバー46の左端が前記第三スライドブロック41に固定に接続され、前記第三空き筐体47の右側の内壁に食違い装置が設置される。
【００１７】
有益的には、前記食違い装置が前記第三空き筐体47の右側の内壁に連通し合って設置される第七空き筐体67を含み、前記第七空き筐体67の中に左右にスライドする第六スライドブロック65が設置され、その中に、前記第四スライドブロック48の右側の端面に右向きのかつ前記第七スライドブロック65と掛り合う第二溝49が設置され、前記第六スライドブロック65の右側の端面と前記第七空き筐体67の右側の内壁の間に第三ばね66が固定に接続され、前記第七空き筐体67の下側の内壁に第八空き筐体64が連通し合って設置され、前記第六スライドブロック65の下側の端面に前記第八空き筐体64の中に伸びて通す第八スライドブロック63が固定に接続され、前記第八空き筐体64の左側内壁に近接する下側内壁に第四スルーホール58が上下に貫通し設置され、前記第八空き筐体64の右側内壁に近接する下側内壁に第五スルーホール62が上下に貫通し設置され、初期状態にある時、前記第五スルーホール62と前記第一スルーホールが連通し合い、前記第八空き筐体64の中に連通溝59が設置され、前記連通溝59の二つの開口が前記第八スライドブロック63の左右両側にあるかついずれも前記第八空き筐体64と連通し合い、その中に前記第二空き筐体43の上側の内壁に前記第四スルーホール58と連通し合う第六スルーホール57が連通し合って設置され、初期状態にある時、前記第六スルーホール57と前記第四スルーホール58が左右にずらし、前記第六スルーホール57の内壁に第一通水弁56が固定に設置される。
【００１８】
有益的には、前記装置主体11の下側の端面に水煙噴射ノズル35が固定に設置され、前記水煙噴射ノズル35の上端と前記第一空き筐体27の間に第七スルーホール34が連通し合い設置され、初期状態にある時、前記第七スルーホール34と前記第二スルーホール33が左右にずらし設置される。
【００１９】
有益的には、前記第一インレットパイプ22の内壁に第二通水弁24が設置され、前記第三インレットパイプ28の内壁に第三通水弁29が固定に設置され、前記第三スルーホール32の内壁に第四通水弁31が固定に設置される。
【００２０】
有益的には、前記装置主体に蓄電池45が固定に設置され、前記蓄電池45が本装置にエネルギーを提供する。
【００２１】
有益的には、前記装置主体11の上側の端面の中部位置に接続固定柱12が固定に接続され、本装置が前記接続固定柱12を通じて固定される。
【００２２】
有益的には、前記第五スライドブロック51が前記第六空き筐体52の中に上下にスライドし、左右には移動できない。
【００２３】
有益的には、前記照明装置が左右対称のかつ前記装置主体11の下側の端面に固定に接続される照明固定ブロック81を含み、前記照明固定ブロック81の下側の端面に照明ランプ82が固定に接続される。
【００２４】
初期状態にある時、第二通水弁24、第三通水弁29と第四通水弁がいずれも締める状態にあり、この時に第一スライドブロック71が第一空き筐体27の中に最大限度に左側へ移動し、この時に第二スルーホール33と第七スルーホール34が左右にずらし、同時に第二インレットパイプ42と第一スルーホールが左右にずらし、この時に第二スライドブロック68の左側の端面と第四空き筐体39の左側の内壁と突合い、この時に第三スライドブロック41の下端面が第一楔36の下端と突合い、この時に第五スライドブロック51が第六空き筐体52の中に最大限度に降下し、この時に第二ばね53が圧縮状態にある。
【００２５】
本装置を使用する過程で、この時に第二通水弁24、第三通水弁29と第四通水弁31が同時に開き、この時に消毒薬液パイプ21の中の消毒水が第一インレットパイプ22を通して第一空き筐体27に入り、また第三インレットパイプ28を通して第二空き筐体43の中に入り、この時に第一空き筐体27と第三インレットパイプに入った消毒薬液が第一スライドブロック71を右へ押さえ、これによって第一スライドブロック71が第一ばね44の弾力作用を抵抗して右へ移動し、その上で第一スルーホール61と第二インレットパイプ42が連通し合い、第二スルーホール33と第七スルーホール34が連通し合い、この時に消毒薬液の噴射を行い、この過程で、第一スライドブロック71が右側へ移動する時に、第四スライドブロック48が第二ばね53の牽引力の作用のもとで第一溝54に引掛り、ひいては第一スライドブロック71の左右への移動を控え、同時に第六スライドブロック65が第二溝49に引っ掛ってひいては第四スライドブロック48の昇降をリミットし、この時に第六スライドブロック65によって第八スライドブロック63を左側へ移動させ、この時に連通溝59の二つの開口がいずれも第八スライドブロック63の右側にあり、この時に第四スルーホール58と第六スルーホール57が連通し合い、この時に第一圧力ブロック55が圧力作用を検出し、この時に第一通水弁56が締める状態にあり、同時に第二通水弁24が締める状態にあり、同時に第一電機23が回転し、ひいては第二スライドブロック68が右側へ移動され、ひいては第一楔36と第二楔38によって第三スライドブロック41を上へ押さえ、ひいては第五スライドブロック51を上へ移動させ、この時に第二ばね53が伸張する状態にあり、スプレイを閉じる時に、第一通水弁56が開き、この時に第二空き筐体43の中の高圧消毒薬液が第六スルーホール57及び第四スルーホール58を通して第八空き筐体64に入り、ひいては第八スライドブロック63を右へ押さえて移動させ、ひいては第六スライドブロック65が第三ばね66の弾力作用を抵抗し右側へ移動して第一接続レバー46から離脱し、この時に第四スライドブロック48が第一溝54から離脱し、この時に第一圧力ブロック55が圧力作用を検出しできずに本装置を初期状態に還元させ、この過程で、第八スライドブロック63の左側の端面が連通溝59の左端の開口を通過した後で、第八空き筐体64の中の液体が連通溝59を通して第一スルーホール61に入り、同時に第六スライドブロック65が継続して第四スライドブロック48に押さえて初期状態に戻り、同時に第三通水弁29が締める時に、第一スライドブロック71が第一ばね44の弾力作用を受けて左側へ移動し、この時に第一空き筐体27の中の消毒水が第三スルーホール32を通して一番左側の第七スルーホール34に入り、更に第一スライドブロック71が完全に初期状態に戻る時に第四通水弁31が締め、この時に本装置がスプレイが停止する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019202110.tif 000003
【図２】
2019202110.tif 000004
【図３】
2019202110.tif 000005
【手続補正書】
【提出日】平成31年1月12日(2019.1.12)
【手続補正１】
【補正対象書類名】特許請求の範囲
【補正対象項目名】全文
【補正方法】変更
【補正の内容】
【特許請求の範囲】
【請求項１】
（図１自身の上下左右前後方位を基準とし、本発明装置の方位を判断する）装置主体、前記装置主体に設置されるスプレイ消毒装置及び前記装置主体に設置される照明装置を含み、前記スプレイ消毒装置が前記装置主体に固定的に設置されるかつ左右に貫通する消毒薬液パイプを含み、前記装置主体にかつ前記消毒薬液パイプの下側に第一空きキャビティが設置され、前記第一空きキャビティの左側の内壁に近接する上側の内壁に前記第一空きキャビティと前記消毒薬液パイプを連通する第一インレットパイプが設置され、前記第一空きキャビティの右側の内壁に近接する上側の内壁に前記第一空きキャビティと前記消毒薬液パイプを連通する第二インレットパイプが設置され、前記第一空きキャビティの中に左右にスライドする第一スライドブロックが設置され、前記第一スライドブロックの右側の端面と前記第二空きキャビティの右側の内壁の間に第一ばねが接続され、前記第一スライドブロックに第二空きキャビティが設置され、前記第一空きキャビティの左側の内壁に第三インレットパイプが左右に貫通し設置され、前記第二空きキャビティの上側の内壁に前記第二インレットパイプと連通できる第一抜き穴が貫通し設置され、前記第二空きキャビティの下側の内壁に第二抜き穴が上下に貫通するかつ左右に陳列に分布し設置され、一番左側の前記第二抜き穴の左側の内壁に前記第一空きキャビティを連通できる第三抜き穴が設置され、前記装置主体の中には前記第一空きキャビティの上側に位置し、且つ前記第一空きキャビティと連通して接続される第三空きキャビティが設置され、前記装置主体の中には前記第三空きキャビティの左端に位置し、且つ前記第三空きキャビティと相通して接続される第四空きキャビティが設置され、前記第四空きキャビティの左側の内壁に第一モーターが固定的に設置され、前記第四空きキャビティの中には第二スライドブロックがスライドできるように係合し接続され、前記第一モーターの右端に前記第二スライドブロックとねじで係合し接続されるねじ山レバーが動力が伝達できるように接続され、前記第二スライドブロックに右向きの第五空きキャビティが設置され、前記第五空きキャビティの上側内壁に第一楔が固定的に接続され、前記第五空きキャビティの下側内壁には前記第一楔の右端に位置し、且つ前後対称の第二楔が固定的に接続され、前記第二楔の上側には前記第一楔の下側とスライドできるように接続されることができる第三スライドブロックがスライドできるように係合し接続され、前記第三空きキャビティの中に上下にスライドする第四スライドブロックが設置され、その中に、前記第一スライドブロックの上側の端面に上向きかつ前記第四スライドブロックと当接される第一溝が設置され、前記第一溝の下側の内壁に第一圧力ブロックが固定的に設置され、前記第四スライドブロックの左側の端面に左向きの第六空きキャビティが設置され、前記第六空きキャビティの中に上下にスライドする第五スライドブロックが設置され、前記第五スライドブロックの下側の端面と前記第六空きキャビティの下側の内壁の間に第二ばねが接続され、前記第五スライドブロックの左側の端面に第一接続レバーが固定的に接続され、前記第一接続レバーの左端が前記第三スライドブロックに固定的に接続され、前記第三空きキャビティの右側の内壁に食違い装置が設置されることを特徴とする安全消毒装置。
【請求項２】
前記食違い装置が前記第三空きキャビティの右側の内壁に連通し合って設置される第七空きキャビティを含み、前記第七空きキャビティの中に左右にスライドできる第六スライドブロックが設置され、その中に、前記第四スライドブロックの右側の端面に右向きのかつ前記第六スライドブロックと掛り合う第二溝が設置され、前記第六スライドブロックの右側の端面と前記第七空きキャビティの右側の内壁の間に第三ばねが接続され、前記第七空きキャビティの下側の内壁に第八空きキャビティが連通し合って設置され、前記第六スライドブロックの下側の端面に前記第八空きキャビティの中に伸びて通す第七スライドブロックが固定的に接続され、前記第八空きキャビティの左側内壁に近接する下側内壁に第四抜き穴が上下に貫通し設置され、前記第八空きキャビティの右側内壁に近接する下側内壁に第五抜き穴が上下に貫通し設置され、初期状態にある時、前記第五抜き穴と前記第一抜き穴が連通し合い、前記第八空きキャビティの中に連通溝が設置され、前記連通溝の二つの開口が前記第七スライドブロックの左右両側にあるかついずれも前記第八空きキャビティと連通し合い、その中に前記第二空きキャビティの上側の内壁に前記第四抜き穴と連通し合う第六抜き穴が連通し合って設置され、初期状態にある時、前記第六抜き穴と前記第四抜き穴が左右にずらし、前記第六抜き穴の内壁に第一通水弁が固定的に設置されることを特徴とする請求項１に記載の安全消毒装置。
【請求項３】
前記第一空きキャビティの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右にずらしていることを特徴とする請求項１に記載の安全消毒装置。
【請求項４】
前記第一インレットパイプの内壁に第二通水弁が設置され、前記第三インレットパイプの内壁に第三通水弁が固定的に設置され、前記第三抜き穴の内壁に第四通水弁が固定的に設置されることを特徴とする請求項１に記載の安全消毒装置。
【請求項５】
前記装置主体に蓄電池が固定的に設置され、前記蓄電池が本装置にエネルギーを提供することを特徴とする請求項１に記載の安全消毒装置。
【請求項６】
前記装置主体の上側の端面の中部位置に接続固定柱が固定的に接続され、本装置が前記接続固定柱を通じて固定されることを特徴とする請求項１に記載の安全消毒装置。
【請求項７】
前記第五スライドブロックが前記第六空きキャビティの中に上下にスライドし、左右には移動できないことを特徴とする請求項１に記載の安全消毒装置。
【請求項８】
前記照明装置が左右対称のかつ前記装置主体の下側の端面に固定的に接続される照明固定ブロックを含み、前記照明固定ブロックの下側の端面に照明ランプが固定的に接続されることを特徴とする請求項１に記載の安全消毒装置。
【手続補正２】
【補正対象書類名】明細書
【補正対象項目名】全文
【補正方法】変更
【補正の内容】
【発明の詳細な説明】
【技術分野】
【０００１】
本発明は家畜養殖技術分野に関し、具体的には、安全消毒装置に関する。
【背景技術】
【０００２】
数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならない。伝統的には人工で消毒薬液をすプレイして消毒を行うため、効率が低下だけでなく、スプレイの効果にも保証できず、そのため、遠隔制御だけで消毒薬液のスプレイができる安全消毒装置を提供するのが実に必要である。
【先行技術文献】
【特許文献】
【０００３】
【特許文献１】中国特許出願公開第103550800号明細書
【発明の概要】
【発明が解決しようとする課題】
【０００４】
本発明の目的は上記の背景技術に提出された問題を解決するための安全消毒装置を提供することにある。
【課題を解決するための手段】
【０００５】
本発明は以下の技術プランで実現する：本発明の安全消毒装置は、装置主体、前記装置主体に設置されるスプレイ消毒装置及び前記装置主体に設置される照明装置を含み、前記スプレイ消毒装置が前記装置主体に固定的に設置されるかつ左右に貫通する消毒薬液パイプを含み、前記装置主体にかつ前記消毒薬液パイプの下側に第一空きキャビティが設置され、前記第一空きキャビティの左側の内壁に近接する上側の内壁に前記第一空きキャビティと前記消毒薬液パイプを連通する第一インレットパイプが設置され、前記第一空きキャビティの右側の内壁に近接する上側の内壁に前記第一空きキャビティと前記消毒薬液パイプを連通する第二インレットパイプが設置され、前記第一空きキャビティの中に左右にスライドする第一スライドブロックが設置され、前記第一スライドブロックの右側の端面と前記第二空きキャビティの右側の内壁の間に第一ばねが接続され、前記第一スライドブロックに第二空きキャビティが設置され、前記第一空きキャビティの左側の内壁に第三インレットパイプが左右に貫通し設置され、前記第二空きキャビティの上側の内壁に前記第二インレットパイプと連通できる第一抜き穴が貫通し設置され、前記第二空きキャビティの下側の内壁に第二抜き穴が上下に貫通するかつ左右に陳列に分布し設置され、一番左側の前記第二抜き穴の左側の内壁に前記第一空きキャビティを連通できる第三抜き穴が設置され、前記装置主体の中には前記第一空きキャビティの上側に位置し、且つ前記第一空きキャビティと連通して接続される第三空きキャビティが設置され、前記装置主体の中には前記第三空きキャビティの左端に位置し、且つ前記第三空きキャビティと相通して接続される第四空きキャビティが設置され、前記第四空きキャビティの左側の内壁に第一モーターが固定的に設置され、前記第四空きキャビティの中には第二スライドブロックがスライドできるように係合し接続され、前記第一モーターの右端に前記第二スライドブロックとねじで係合し接続されるねじ山レバーが動力が伝達できるように接続され、前記第二スライドブロックに右向きの第五空きキャビティが設置され、前記第五空きキャビティの上側内壁に第一楔が固定的に接続され、前記第五空きキャビティの下側内壁には前記第一楔の右端に位置し、且つ前後対称の第二楔が固定的に接続され、前記第二楔の上側には前記第一楔の下側とスライドできるように接続されることができる第三スライドブロックがスライドできるように係合し接続され、前記第三空きキャビティの中に上下にスライドする第四スライドブロックが設置され、その中に、前記第一スライドブロックの上側の端面に上向きかつ前記第四スライドブロックと当接される第一溝が設置され、前記第一溝の下側の内壁に第一圧力ブロックが固定的に設置され、前記第四スライドブロックの左側の端面に左向きの第六空きキャビティが設置され、前記第六空きキャビティの中に上下にスライドする第五スライドブロックが設置され、前記第五スライドブロックの下側の端面と前記第六空きキャビティの下側の内壁の間に第二ばねが接続され、前記第五スライドブロックの左側の端面に第一接続レバーが固定的に接続され、前記第一接続レバーの左端が前記第三スライドブロックに固定的に接続され、前記第三空きキャビティの右側の内壁に食違い装置が設置される。
【０００６】
優先的な技術プランとして、前記食違い装置が前記第三空きキャビティの右側の内壁に連通し合って設置される第七空きキャビティを含み、前記第七空きキャビティの中に左右にスライドできる第六スライドブロックが設置され、その中に、前記第四スライドブロックの右側の端面に右向きのかつ前記第六スライドブロックと掛り合う第二溝が設置され、前記第六スライドブロックの右側の端面と前記第七空きキャビティの右側の内壁の間に第三ばねが接続され、前記第七空きキャビティの下側の内壁に第八空きキャビティが連通し合って設置され、前記第六スライドブロックの下側の端面に前記第八空きキャビティの中に伸びて通す第七スライドブロックが固定的に接続され、前記第八空きキャビティの左側内壁に近接する下側内壁に第四抜き穴が上下に貫通し設置され、前記第八空きキャビティの右側内壁に近接する下側内壁に第五抜き穴が上下に貫通し設置され、初期状態にある時、前記第五抜き穴と前記第一抜き穴が連通し合い、前記第八空きキャビティの中に連通溝が設置され、前記連通溝の二つの開口が前記第七スライドブロックの左右両側にあるかついずれも前記第八空きキャビティと連通し合い、その中に前記第二空きキャビティの上側の内壁に前記第四抜き穴と連通し合う第六抜き穴が連通し合って設置され、初期状態にある時、前記第六抜き穴と前記第四抜き穴が左右にずらし、前記第六抜き穴の内壁に第一通水弁が固定的に設置される。
【０００７】
優先的な技術プランとして、前記第一空きキャビティの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右にずらしている。
【０００８】
優先的な技術プランとして、前記第一インレットパイプの内壁に第二通水弁が設置され、前記第三インレットパイプの内壁に第三通水弁が固定的に設置され、前記第三抜き穴の内壁に第四通水弁が固定的に設置される。
【０００９】
優先的な技術プランとして、前記装置主体に蓄電池が固定的に設置され、前記蓄電池が本装置にエネルギーを提供する。
【００１０】
優先的な技術プランとして、前記装置主体の上側の端面の中部位置に接続固定柱が固定的に接続され、本装置が前記接続固定柱を通じて固定される。
【００１１】
優先的な技術プランとして、前記第五スライドブロックが前記第六空きキャビティの中に上下にスライドし、左右には移動できない。
【００１２】
優先的な技術プランとして、前記照明装置が左右対称のかつ前記装置主体の下側の端面に固定的に接続される照明固定ブロックを含み、前記照明固定ブロックの下側の端面に照明ランプが固定的に接続される。
【発明の効果】
【００１３】
本発明の有益効果は：本発明は構造が簡単で、操作が便利で、本装置によって消毒の開閉を遠隔で制御でき、入力端パイプと散布構造との間に開閉を制するバルブ部品を設計することにより、設備が使用されていない時、本装置から消毒薬剤を隔離でき、水漏れの現象を防止でき、必要以上の浪費を控え、複数の散布ヘッドという構造を設計することにより、消毒薬剤を散布する時、人工より散布の効率を向上させ、労力を節約し、使用に勧める。
【図面の簡単な説明】
【００１４】
下記に図１〜３を合わせて本発明について詳しく説明させていただきます。説明の便利を図って、図１自身の投影関係の上下左右前後方位を基準とし、説明を行います。
【００１５】
【図１】図1は本発明の安全消毒装置の内部構造概略図である。
【図２】図2は図1の「A-A」の構造概略図である。
【図３】図3は図1の「B」の拡大概略図である。
【発明を実施するための形態】
【００１６】
図1〜図3が示すように、本発明の安全消毒装置は、装置主体11、前記装置主体11に設置されるスプレイ消毒装置及び前記装置主体11に設置される照明装置を含み、前記スプレイ消毒装置が前記装置主体11に固定的に設置されるかつ左右に貫通する消毒薬液パイプ21を含み、前記装置主体11にかつ前記消毒薬液パイプ21の下側に第一空きキャビティ27が設置され、前記第一空きキャビティ27の左側の内壁に近接する上側の内壁に前記第一空きキャビティ27と前記消毒薬液パイプ21を連通する第一インレットパイプ22が設置され、前記第一空きキャビティ27の右側の内壁に近接する上側の内壁に前記第一空きキャビティ27と前記消毒薬液パイプ21を連通する第二インレットパイプ42が設置され、前記第一空きキャビティ27の中に左右にスライドする第一スライドブロック71が設置され、前記第一スライドブロック71の右側の端面と前記第二空きキャビティ43の右側の内壁の間に第一ばね44が接続され、前記第一スライドブロック71に第二空きキャビティ43が設置され、前記第一空きキャビティ43の左側の内壁に第三インレットパイプ28が左右に貫通し設置され、前記第二空きキャビティ43の上側の内壁に前記第二インレットパイプ42と連通できる第一抜き穴61が貫通し設置され、前記第二空きキャビティ43の下側の内壁に第二抜き穴33が上下に貫通するかつ左右に陳列に分布し設置され、一番左側の前記第二抜き穴33の左側の内壁に前記第一空きキャビティ27を連通できる第三抜き穴32が設置され、前記装置主体11の中には前記第一空きキャビティ27の上側に位置し、且つ前記第一空きキャビティ27と連通して接続される第三空きキャビティ47が設置され、前記装置主体11の中には前記第三空きキャビティ47の左端に位置し、且つ前記第三空きキャビティ47と相通して接続される第四空きキャビティ39が設置され、前記第四空きキャビティ39の左側の内壁に第一モーター23が固定的に設置され、前記第四空きキャビティ39の中には第二スライドブロック68がスライドできるように係合し接続され、前記第一モーター23の右端に前記第二スライドブロック68とねじで係合し接続されるねじ山レバー25が動力が伝達できるように接続され、前記第二スライドブロック68に右向きの第五空きキャビティ26が設置され、前記第五空きキャビティ26の上側内壁に第一楔36が固定的に接続され、前記第五空きキャビティ26の下側内壁には前記第一楔36の右端に位置し、且つ前後対称の第二楔38が固定的に接続され、前記第二楔38の上側には前記第一楔36の下側とスライドできるように接続されることができる第三スライドブロック41がスライドできるように係合し接続され、前記第三空きキャビティ47の中に上下にスライドする第四スライドブロック48が設置され、その中に、前記第一スライドブロック71の上側の端面に上向きかつ前記第四スライドブロック48と当接される第一溝54が設置され、前記第一溝54の下側の内壁に第一圧力ブロック55が固定的に設置され、前記第四スライドブロック48の左側の端面に左向きの第六空きキャビティ52が設置され、前記第六空きキャビティ52の中に上下にスライドする第五スライドブロック51が設置され、前記第五スライドブロック51の下側の端面と前記第六空きキャビティ52の下側の内壁の間に第二ばね53が接続され、前記第五スライドブロック51の左側の端面��第一接続レバー46が固定的に接続され、前記第一接続レバー46の左端が前記第三スライドブロック41に固定的に接続され、前記第三空きキャビティ47の右側の内壁に食違い装置が設置される。
【００１７】
有益的には、前記食違い装置が前記第三空きキャビティ47の右側の内壁に連通し合って設置される第七空きキャビティ67を含み、前記第七空きキャビティ67の中に左右にスライドできる第六スライドブロック65が設置され、その中に、前記第四スライドブロック48の右側の端面に右向きのかつ前記第六スライドブロック65と掛り合う第二溝49が設置され、前記第六スライドブロック65の右側の端面と前記第七空きキャビティ67の右側の内壁の間に第三ばね66が接続され、前記第七空きキャビティ67の下側の内壁に第八空きキャビティ64が連通し合って設置され、前記第六スライドブロック65の下側の端面に前記第八空きキャビティ64の中に伸びて通す第七スライドブロック63が固定的に接続され、前記第八空きキャビティ64の左側内壁に近接する下側内壁に第四抜き穴58が上下に貫通し設置され、前記第八空きキャビティ64の右側内壁に近接する下側内壁に第五抜き穴62が上下に貫通し設置され、初期状態にある時、前記第五抜き穴62と前記第一抜き穴が連通し合い、前記第八空きキャビティ64の中に連通溝59が設置され、前記連通溝59の二つの開口が前記第七スライドブロック63の左右両側にあるかついずれも前記第八空きキャビティ64と連通し合い、その中に前記第二空きキャビティ43の上側の内壁に前記第四抜き穴58と連通し合う第六抜き穴57が連通し合って設置され、初期状態にある時、前記第六抜き穴57と前記第四抜き穴58が左右にずらし、前記第六抜き穴57の内壁に第一通水弁56が固定的に設置される。
【００１８】
有益的には、前記第一空きキャビティ27の下側内壁には前記第二抜き穴33と対応する第七抜き穴34が設けられ、前記装置主体11の下側の端面には前記第七抜き穴34と相通し接続できる水煙噴射ノズル35が固定的に設置され、初期状態にある時、前記第七抜き穴34と前記第二抜き穴33が左右にずらしている。
【００１９】
有益的には、前記第一インレットパイプ22の内壁に第二通水弁24が設置され、前記第三インレットパイプ28の内壁に第三通水弁29が固定的に設置され、前記第三抜き穴32の内壁に第四通水弁31が固定的に設置される。
【００２０】
有益的には、前記装置主体に蓄電池45が固定的に設置され、前記蓄電池45が本装置にエネルギーを提供する。
【００２１】
有益的には、前記装置主体11の上側の端面の中部位置に接続固定柱12が固定的に接続され、本装置が前記接続固定柱12を通じて固定される。
【００２２】
有益的には、前記第五スライドブロック51が前記第六空きキャビティ52の中に上下にスライドし、左右には移動できない。
【００２３】
有益的には、前記照明装置が左右対称のかつ前記装置主体11の下側の端面に固定的に接続される照明固定ブロック81を含み、前記照明固定ブロック81の下側の端面に照明ランプ82が固定的に接続される。
【００２４】
初期状態にある時、第二通水弁24、第三通水弁29と第四通水弁がいずれも締める状態にあり、この時に第一スライドブロック71が第一空きキャビティ27の中に最大限度に左側へ移動し、この時に第二抜き穴33と第七抜き穴34が左右にずらし、同時に第二インレットパイプ42と第一抜き穴が左右にずらし、この時に第二スライドブロック68の左側の端面と第四空きキャビティ39の左側の内壁と突合い、この時に第三スライドブロック41の下端面が第一楔36の下端と突合い、この時に第五スライドブロック51が第六空きキャビティ52の中に最大限度に降下し、この時に第二ばね53が圧縮状態にある。
【００２５】
本装置を使用する過程で、この時に第二通水弁24、第三通水弁29と第四通水弁31が同時に開き、この時に消毒薬液パイプ21の中の消毒水が第一インレットパイプ22を通して第一空きキャビティ27に入り、また第三インレットパイプ28を通して第二空きキャビティ43の中に入り、この時に第一空きキャビティ27と第三インレットパイプに入った消毒薬液が第一スライドブロック71を右へ押さえ、これによって第一スライドブロック71が第一ばね44の弾力作用を抵抗して右へ移動し、その上で第一抜き穴61と第二インレットパイプ42が連通し合い、第二抜き穴33と第七抜き穴34が連通し合い、この時に消毒薬液の噴射を行い、この過程で、第一スライドブロック71が右側へ移動する時に、第四スライドブロック48が第二ばね53の牽引力の作用のもとで第一溝54に引掛り、ひいては第一スライドブロック71の左右への移動を控え、同時に第六スライドブロック65が第二溝49に引っ掛ってひいては第四スライドブロック48の昇降をリミットし、この時に第六スライドブロック65によって第七スライドブロック63を左側へ移動させ、この時に連通溝59の二つの開口がいずれも第七スライドブロック63の右側にあり、この時に第四抜き穴58と第六抜き穴57が連通し合い、この時に第一圧力ブロック55が圧力作用を検出し、この時に第一通水弁56が締める状態にあり、同時に第二通水弁24が締める状態にあり、同時に第一モーター23が回転し、ひいては第二スライドブロック68が右側へ移動され、ひいては第一楔36と第二楔38によって第三スライドブロック41を上へ押さえ、ひいては第五スライドブロック51を上へ移動させ、この時に第二ばね53が伸張する状態にあり、スプレイを閉じる時に、第一通水弁56が開き、この時に第二空きキャビティ43の中の高圧消毒薬液が第六抜き穴57及び第四抜き穴58を通して第八空きキャビティ64に入り、ひいては第七スライドブロック63を右へ押さえて移動させ、ひいては第六スライドブロック65が第三ばね66の弾力作用を抵抗し右側へ移動して第一接続レバー46から離脱し、この時に第四スライドブロック48が第一溝54から離脱し、この時に第一圧力ブロック55が圧力作用を検出しできずに本装置を初期状態に還元させ、この過程で、第七スライドブロック63の左側の端面が連通溝59の左端の開口を通過した後で、第八空きキャビティ64の中の液体が連通溝59を通して第一抜き穴61に入り、同時に第六スライドブロック65が継続して第四スライドブロック48に押さえて初期状態に戻り、同時に第三通水弁29が締める時に、第一スライドブロック71が第一ばね44の弾力作用を受けて左側へ移動し、この時に第一空きキャビティ27の中の消毒水が第三抜き穴32を通して一番左側の第七抜き穴34に入り、更に第一スライドブロック71が完全に初期状態に戻る時に第四通水弁31が締め、この時に本装置がスプレイが停止する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
（図１自身の上下左右前後方位を基準とし、本発明装置の方位を判断する）装置主体、前記装置主体に設置されるスプレイ消毒装置及び前記装置主体に設置される照明装置を含み、前記スプレイ消毒装置が前記装置主体に固定的に設置されるかつ左右に貫通する消毒薬液パイプを含み、前記装置主体にかつ前記消毒薬液パイプの下側に第一空きキャビティが設置され、前記第一空きキャビティの左側の内壁に近接する上側の内壁に前記第一空きキャビティと前記消毒薬液パイプを連通する第一インレットパイプが設置され、前記第一空きキャビティの右側の内壁に近接する上側の内壁に前記第一空きキャビティと前記消毒薬液パイプを連通する第二インレットパイプが設置され、前記第一空きキャビティの中に左右にスライドする第一スライドブロックが設置され、前記第一スライドブロックの右側の端面と前記第二空きキャビティの右側の内壁の間に第一ばねが接続され、前記第一スライドブロックに第二空きキャビティが設置され、前記第一空きキャビティの左側の内壁に第三インレットパイプが左右に貫通し設置され、前記第二空きキャビティの上側の内壁に前記第二インレットパイプと連通できる第一抜き穴が貫通し設置され、前記第二空きキャビティの下側の内壁に第二抜き穴が上下に貫通するかつ左右に陳列に分布し設置され、一番左側の前記第二抜き穴の左側の内壁に前記第一空きキャビティを連通できる第三抜き穴が設置され、前記装置主体の中には前記第一空きキャビティの上側に位置し、且つ前記第一空きキャビティと連通して接続される第三空きキャビティが設置され、前記装置主体の中には前記第三空きキャビティの左端に位置し、且つ前記第三空きキャビティと相通して接続される第四空きキャビティが設置され、前記第四空きキャビティの左側の内壁に第一モーターが固定的に設置され、前記第四空きキャビティの中には第二スライドブロックがスライドできるように係合し接続され、前記第一モーターの右端に前記第二スライドブロックとねじで係合し接続されるねじ山レバーが動力が伝達できるように接続され、前記第二スライドブロックに右向きの第五空きキャビティが設置され、前記第五空きキャビティの上側内壁に第一楔が固定的に接続され、前記第五空きキャビティの下側内壁には前記第一楔の右端に位置し、且つ前後対称の第二楔が固定的に接続され、前記第二楔の上側には前記第一楔の下側とスライドできるように接続されることができる第三スライドブロックがスライドできるように係合し接続され、前記第三空きキャビティの中に上下にスライドする第四スライドブロックが設置され、その中に、前記第一スライドブロックの上側の端面に上向きかつ前記第四スライドブロックと当接される第一溝が設置され、前記第一溝の下側の内壁に第一圧力ブロックが固定的に設置され、前記第四スライドブロックの左側の端面に左向きの第六空きキャビティが設置され、前記第六空きキャビティの中に上下にスライドする第五スライドブロックが設置され、前記第五スライドブロックの下側の端面と前記第六空きキャビティの下側の内壁の間に第二ばねが接続され、前記第五スライドブロックの左側の端面に第一接続レバーが固定的に接続され、前記第一接続レバーの左端が前記第三スライドブロックに固定的に接続され、前記第三空きキャビティの右側の内壁に食違い装置が設置されることを特徴とする安全消毒装置。
【請求項２】
前記食違い装置が前記第三空きキャビティの右側の内壁に連通し合って設置される第七空きキャビティを含み、前記第七空きキャビティの中に左右にスライドできる第六スライドブロックが設置され、その中に、前記第四スライドブロックの右側の端面に右向きのかつ前記第六スライドブロックと掛り合う第二溝が設置され、前記第六スライドブロックの右側の端面と前記第七空きキャビティの右側の内壁の間に第三ばねが接続され、前記第七空きキャビティの下側の内壁に第八空きキャビティが連通し合って設置され、前記第六スライドブロックの下側の端面に前記第八空きキャビティの中に伸びて通す第七スライドブロックが固定的に接続され、前記第八空きキャビティの左側内壁に近接する下側内壁に第四抜き穴が上下に貫通し設置され、前記第八空きキャビティの右側内壁に近接する下側内壁に第五抜き穴が上下に貫通し設置され、初期状態にある時、前記第五抜き穴と前記第一抜き穴が連通し合い、前記第八空きキャビティの中に連通溝が設置され、前記連通溝の二つの開口が前記第七スライドブロックの左右両側にあるかついずれも前記第八空きキャビティと連通し合い、その中に前記第二空きキャビティの上側の内壁に前記第四抜き穴と連通し合う第六抜き穴が連通し合って設置され、初期状態にある時、前記第六抜き穴と前記第四抜き穴が左右にずらし、前記第六抜き穴の内壁に第一通水弁が固定的に設置されることを特徴とする請求項１に記載の安全消毒装置。
【請求項３】
前記第一空きキャビティの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右にずらしていることを特徴とする請求項１に記載の安全消毒装置。
【請求項４】
前記第一インレットパイプの内壁に第二通水弁が設置され、前記第三インレットパイプの内壁に第三通水弁が固定的に設置され、前記第三抜き穴の内壁に第四通水弁が固定的に設置されることを特徴とする請求項１に記載の安全消毒装置。
【請求項５】
前記装置主体に蓄電池が固定的に設置され、前記蓄電池が本装置にエネルギーを提供することを特徴とする請求項１に記載の安全消毒装置。
【請求項６】
前記装置主体の上側の端面の中部位置に接続固定柱が固定的に接続され、本装置が前記接続固定柱を通じて固定されることを特徴とする請求項１に記載の安全消毒装置。
【請求項７】
前記第五スライドブロックが前記第六空きキャビティの中に上下にスライドし、左右には移動できないことを特徴とする請求項１に記載の安全消毒装置。
【請求項８】
前記照明装置が左右対称のかつ前記装置主体の下側の端面に固定的に接続される照明固定ブロックを含み、前記照明固定ブロックの下側の端面に照明ランプが固定的に接続されることを特徴とする請求項１に記載の安全消毒装置。
【手続補正２】
【補正対象書類名】明細書
【補正対象項目名】全文
【補正方法】変更
【補正の内容】
【発明の詳細な説明】
【技術分野】
【０００１】
本発明は家畜養殖技術分野に関し、具体的には、安全消毒装置に関する。
【背景技術】
【０００２】
数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならない。伝統的には人工で消毒薬液をすプレイして消毒を行うため、効率が低下だけでなく、スプレイの効果にも保証できず、そのため、遠隔制御だけで消毒薬液のスプレイができる安全消毒装置を提供するのが実に必要である。
【先行技術文献】
【特許文献】
【０００３】
【特許文献１】中国特許出願公開第103550800号明細書
【発明の概要】
【発明が解決しようとする課題】
【０００４】
本発明の目的は上記の背景技術に提出された問題を解決するための安全消毒装置を提供することにある。
【課題を解決するための手段】
【０００５】
本発明は以下の技術プランで実現する：本発明の安全消毒装置は、装置主体、前記装置主体に設置されるスプレイ消毒装置及び前記装置主体に設置される照明装置を含み、前記スプレイ消毒装置が前記装置主体に固定的に設置されるかつ左右に貫通する消毒薬液パイプを含み、前記装置主体にかつ前記消毒薬液パイプの下側に第一空きキャビティが設置され、前記第一空きキャビティの左側の内壁に近接する上側の内壁に前記第一空きキャビティと前記消毒薬液パイプを連通する第一インレットパイプが設置され、前記第一空きキャビティの右側の内壁に近接する上側の内壁に前記第一空きキャビティと前記消毒薬液パイプを連通する第二インレットパイプが設置され、前記第一空きキャビティの中に左右にスライドする第一スライドブロックが設置され、前記第一スライドブロックの右側の端面と前記第二空きキャビティの右側の内壁の間に第一ばねが接続され、前記第一スライドブロックに第二空きキャビティが設置され、前記第一空きキャビティの左側の内壁に第三インレットパイプが左右に貫通し設置され、前記第二空きキャビティの上側の内壁に前記第二インレットパイプと連通できる第一抜き穴が貫通し設置され、前記第二空きキャビティの下側の内壁に第二抜き穴が上下に貫通するかつ左右に陳列に分布し設置され、一番左側の前記第二抜き穴の左側の内壁に前記第一空きキャビティを連通できる第三抜き穴が設置され、前記装置主体の中には前記第一空きキャビティの上側に位置し、且つ前記第一空きキャビティと連通して接続される第三空きキャビティが設置され、前記装置主体の中には前記第三空きキャビティの左端に位置し、且つ前記第三空きキャビティと相通して接続される第四空きキャビティが設置され、前記第四空きキャビティの左側の内壁に第一モーターが固定的に設置され、前記第四空きキャビティの中には第二スライドブロックがスライドできるように係合し接続され、前記第一モーターの右端に前記第二スライドブロックとねじで係合し接続されるねじ山レバーが動力が伝達できるように接続され、前記第二スライドブロックに右向きの第五空きキャビティが設置され、前記第五空きキャビティの上側内壁に第一楔が固定的に接続され、前記第五空きキャビティの下側内壁には前記第一楔の右端に位置し、且つ前後対称の第二楔が固定的に接続され、前記第二楔の上側には前記第一楔の下側とスライドできるように接続されることができる第三スライドブロックがスライドできるように係合し接続され、前記第三空きキャビティの中に上下にスライドする第四スライドブロックが設置され、その中に、前記第一スライドブロックの上側の端面に上向きかつ前記第四スライドブロックと当接される第一溝が設置され、前記第一溝の下側の内壁に第一圧力ブロックが固定的に設置され、前記第四スライドブロックの左側の端面に左向きの第六空きキャビティが設置され、前記第六空きキャビティの中に上下にスライドする第五スライドブロックが設置され、前記第五スライドブロックの下側の端面と前記第六空きキャビティの下側の内壁の間に第二ばねが接続され、前記第五スライドブロックの左側の端面に第一接続レバーが固定的に接続され、前記第一接続レバーの左端が前記第三スライドブロックに固定的に接続され、前記第三空きキャビティの右側の内壁に食違い装置が設置される。
【０００６】
優先的な技術プランとして、前記食違い装置が前記第三空きキャビティの右側の内壁に連通し合って設置される第七空きキャビティを含み、前記第七空きキャビティの中に左右にスライドできる第六スライドブロックが設置され、その中に、前記第四スライドブロックの右側の端面に右向きのかつ前記第六スライドブロックと掛り合う第二溝が設置され、前記第六スライドブロックの右側の端面と前記第七空きキャビティの右側の内壁の間に第三ばねが接続され、前記第七空きキャビティの下側の内壁に第八空きキャビティが連通し合って設置され、前記第六スライドブロックの下側の端面に前記第八空きキャビティの中に伸びて通す第七スライドブロックが固定的に接続され、前記第八空きキャビティの左側内壁に近接する下側内壁に第四抜き穴が上下に貫通し設置され、前記第八空きキャビティの右側内壁に近接する下側内壁に第五抜き穴が上下に貫通し設置され、初期状態にある時、前記第五抜き穴と前記第一抜き穴が連通し合い、前記第八空きキャビティの中に連通溝が設置され、前記連通溝の二つの開口が前記第七スライドブロックの左右両側にあるかついずれも前記第八空きキャビティと連通し合い、その中に前記第二空きキャビティの上側の内壁に前記第四抜き穴と連通し合う第六抜き穴が連通し合って設置され、初期状態にある時、前記第六抜き穴と前記第四抜き穴が左右にずらし、前記第六抜き穴の内壁に第一通水弁が固定的に設置される。
【０００７】
優先的な技術プランとして、前記第一空きキャビティの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右にずらしている。
【０００８】
優先的な技術プランとして、前記第一インレットパイプの内壁に第二通水弁が設置され、前記第三インレットパイプの内壁に第三通水弁が固定的に設置され、前記第三抜き穴の内壁に第四通水弁が固定的に設置される。
【０００９】
優先的な技術プランとして、前記装置主体に蓄電池が固定的に設置され、前記蓄電池が本装置にエネルギーを提供する。
【００１０】
優先的な技術プランとして、前記装置主体の上側の端面の中部位置に接続固定柱が固定的に接続され、本装置が前記接続固定柱を通じて固定される。
【００１１】
優先的な技術プランとして、前記第五スライドブロックが前記第六空きキャビティの中に上下にスライドし、左右には移動できない。
【００１２】
優先的な技術プランとして、前記照明装置が左右対称のかつ前記装置主体の下側の端面に固定的に接続される照明固定ブロックを含み、前記照明固定ブロックの下側の端面に照明ランプが固定的に接続される。
【発明の効果】
【００１３】
本発明の有益効果は：本発明は構造が簡単で、操作が便利で、本装置によって消毒の開閉を遠隔で制御でき、入力端パイプと散布構造との間に開閉を制するバルブ部品を設計することにより、設備が使用されていない時、本装置から消毒薬剤を隔離でき、水漏れの現象を防止でき、必要以上の浪費を控え、複数の散布ヘッドという構造を設計することにより、消毒薬剤を散布する時、人工より散布の効率を向上させ、労力を節約し、使用に勧める。
【図面の簡単な説明】
【００１４】
下記に図１〜３を合わせて本発明について詳しく説明させていただきます。説明の便利を図って、図１自身の投影関係の上下左右前後方位を基準とし、説明を行います。
【００１５】
【図１】図1は本発明の安全消毒装置の内部構造概略図である。
【図２】図2は図1の「A-A」の構造概略図である。
【図３】図3は図1の「B」の拡大概略図である。
【発明を実施するための形態】
【００１６】
図1〜図3が示すように、本発明の安全消毒装置は、装置主体11、前記装置主体11に設置されるスプレイ消毒装置及び前記装置主体11に設置される照明装置を含み、前記スプレイ消毒装置が前記装置主体11に固定的に設置されるかつ左右に貫通する消毒薬液パイプ21を含み、前記装置主体11にかつ前記消毒薬液パイプ21の下側に第一空きキャビティ27が設置され、前記第一空きキャビティ27の左側の内壁に近接する上側の内壁に前記第一空きキャビティ27と前記消毒薬液パイプ21を連通する第一インレットパイプ22が設置され、前記第一空きキャビティ27の右側の内壁に近接する上側の内壁に前記第一空きキャビティ27と前記消毒薬液パイプ21を連通する第二インレットパイプ42が設置され、前記第一空きキャビティ27の中に左右にスライドする第一スライドブロック71が設置され、前記第一スライドブロック71の右側の端面と前記第二空きキャビティ43の右側の内壁の間に第一ばね44が接続され、前記第一スライドブロック71に第二空きキャビティ43が設置され、前記第一空きキャビティ43の左側の内壁に第三インレットパイプ28が左右に貫通し設置され、前記第二空きキャビティ43の上側の内壁に前記第二インレットパイプ42と連通できる第一抜き穴61が貫通し設置され、前記第二空きキャビティ43の下側の内壁に第二抜き穴33が上下に貫通するかつ左右に陳列に分布し設置され、一番左側の前記第二抜き穴33の左側の内壁に前記第一空きキャビティ27を連通できる第三抜き穴32が設置され、前記装置主体11の中には前記第一空きキャビティ27の上側に位置し、且つ前記第一空きキャビティ27と連通して接続される第三空きキャビティ47が設置され、前記装置主体11の中には前記第三空きキャビティ47の左端に位置し、且つ前記第三空きキャビティ47と相通して接続される第四空きキャビティ39が設置され、前記第四空きキャビティ39の左側の内壁に第一モーター23が固定的に設置され、前記第四空きキャビティ39の中には第二スライドブロック68がスライドできるように係合し接続され、前記第一モーター23の右端に前記第二スライドブロック68とねじで係合し接続されるねじ山レバー25が動力が伝達できるように接続され、前記第二スライドブロック68に右向きの第五空きキャビティ26が設置され、前記第五空きキャビティ26の上側内壁に第一楔36が固定的に接続され、前記第五空きキャビティ26の下側内壁には前記第一楔36の右端に位置し、且つ前後対称の第二楔38が固定的に接続され、前記第二楔38の上側には前記第一楔36の下側とスライドできるように接続されることができる第三スライドブロック41がスライドできるように係合し接続され、前記第三空きキャビティ47の中に上下にスライドする第四スライドブロック48が設置され、その中に、前記第一スライドブロック71の上側の端面に上向きかつ前記第四スライドブロック48と当接される第一溝54が設置され、前記第一溝54の下側の内壁に第一圧力ブロック55が固定的に設置され、前記第四スライドブロック48の左側の端面に左向きの第六空きキャビティ52が設置され、前記第六空きキャビティ52の中に上下にスライドする第五スライドブロック51が設置され、前記第五スライドブロック51の下側の端面と前記第六空きキャビティ52の下側の内壁の間に第二ばね53が接続され、前記第五スライドブロック51の左側の端面��第一接続レバー46が固定的に接続され、前記第一接続レバー46の左端が前記第三スライドブロック41に固定的に接続され、前記第三空きキャビティ47の右側の内壁に食違い装置が設置される。
【００１７】
有益的には、前記食違い装置が前記第三空きキャビティ47の右側の内壁に連通し合って設置される第七空きキャビティ67を含み、前記第七空きキャビティ67の中に左右にスライドできる第六スライドブロック65が設置され、その中に、前記第四スライドブロック48の右側の端面に右向きのかつ前記第六スライドブロック65と掛り合う第二溝49が設置され、前記第六スライドブロック65の右側の端面と前記第七空きキャビティ67の右側の内壁の間に第三ばね66が接続され、前記第七空きキャビティ67の下側の内壁に第八空きキャビティ64が連通し合って設置され、前記第六スライドブロック65の下側の端面に前記第八空きキャビティ64の中に伸びて通す第七スライドブロック63が固定的に接続され、前記第八空きキャビティ64の左側内壁に近接する下側内壁に第四抜き穴58が上下に貫通し設置され、前記第八空きキャビティ64の右側内壁に近接する下側内壁に第五抜き穴62が上下に貫通し設置され、初期状態にある時、前記第五抜き穴62と前記第一抜き穴が連通し合い、前記第八空きキャビティ64の中に連通溝59が設置され、前記連通溝59の二つの開口が前記第七スライドブロック63の左右両側にあるかついずれも前記第八空きキャビティ64と連通し合い、その中に前記第二空きキャビティ43の上側の内壁に前記第四抜き穴58と連通し合う第六抜き穴57が連通し合って設置され、初期状態にある時、前記第六抜き穴57と前記第四抜き穴58が左右にずらし、前記第六抜き穴57の内壁に第一通水弁56が固定的に設置される。
【００１８】
有益的には、前記第一空きキャビティ27の下側内壁には前記第二抜き穴33と対応する第七抜き穴34が設けられ、前記装置主体11の下側の端面には前記第七抜き穴34と相通し接続できる水煙噴射ノズル35が固定的に設置され、初期状態にある時、前記第七抜き穴34と前記第二抜き穴33が左右にずらしている。
【００１９】
有益的には、前記第一インレットパイプ22の内壁に第二通水弁24が設置され、前記第三インレットパイプ28の内壁に第三通水弁29が固定的に設置され、前記第三抜き穴32の内壁に第四通水弁31が固定的に設置される。
【００２０】
有益的には、前記装置主体に蓄電池45が固定的に設置され、前記蓄電池45が本装置にエネルギーを提供する。
【００２１】
有益的には、前記装置主体11の上側の端面の中部位置に接続固定柱12が固定的に接続され、本装置が前記接続固定柱12を通じて固定される。
【００２２】
有益的には、前記第五スライドブロック51が前記第六空きキャビティ52の中に上下にスライドし、左右には移動できない。
【００２３】
有益的には、前記照明装置が左右対称のかつ前記装置主体11の下側の端面に固定的に接続される照明固定ブロック81を含み、前記照明固定ブロック81の下側の端面に照明ランプ82が固定的に接続される。
【００２４】
初期状態にある時、第二通水弁24、第三通水弁29と第四通水弁がいずれも締める状態にあり、この時に第一スライドブロック71が第一空きキャビティ27の中に最大限度に左側へ移動し、この時に第二抜き穴33と第七抜き穴34が左右にずらし、同時に第二インレットパイプ42と第一抜き穴が左右にずらし、この時に第二スライドブロック68の左側の端面と第四空きキャビティ39の左側の内壁と突合い、この時に第三スライドブロック41の下端面が第一楔36の下端と突合い、この時に第五スライドブロック51が第六空きキャビティ52の中に最大限度に降下し、この時に第二ばね53が圧縮状態にある。
【００２５】
本装置を使用する過程で、この時に第二通水弁24、第三通水弁29と第四通水弁31が同時に開き、この時に消毒薬液パイプ21の中の消毒水が第一インレットパイプ22を通して第一空きキャビティ27に入り、また第三インレットパイプ28を通して第二空きキャビティ43の中に入り、この時に第一空きキャビティ27と第三インレットパイプに入った消毒薬液が第一スライドブロック71を右へ押さえ、これによって第一スライドブロック71が第一ばね44の弾力作用を抵抗して右へ移動し、その上で第一抜き穴61と第二インレットパイプ42が連通し合い、第二抜き穴33と第七抜き穴34が連通し合い、この時に消毒薬液の噴射を行い、この過程で、第一スライドブロック71が右側へ移動する時に、第四スライドブロック48が第二ばね53の牽引力の作用のもとで第一溝54に引掛り、ひいては第一スライドブロック71の左右への移動を控え、同時に第六スライドブロック65が第二溝49に引っ掛ってひいては第四スライドブロック48の昇降をリミットし、この時に第六スライドブロック65によって第七スライドブロック63を左側へ移動させ、この時に連通溝59の二つの開口がいずれも第七スライドブロック63の右側にあり、この時に第四抜き穴58と第六抜き穴57が連通し合い、この時に第一圧力ブロック55が圧力作用を検出し、この時に第一通水弁56が締める状態にあり、同時に第二通水弁24が締める状態にあり、同時に第一モーター23が回転し、ひいては第二スライドブロック68が右側へ移動され、ひいては第一楔36と第二楔38によって第三スライドブロック41を上へ押さえ、ひいては第五スライドブロック51を上へ移動させ、この時に第二ばね53が伸張する状態にあり、スプレイを閉じる時に、第一通水弁56が開き、この時に第二空きキャビティ43の中の高圧消毒薬液が第六抜き穴57及び第四抜き穴58を通して第八空きキャビティ64に入り、ひいては第七スライドブロック63を右へ押さえて移動させ、ひいては第六スライドブロック65が第三ばね66の弾力作用を抵抗し右側へ移動して第一接続レバー46から離脱し、この時に第四スライドブロック48が第一溝54から離脱し、この時に第一圧力ブロック55が圧力作用を検出しできずに本装置を初期状態に還元させ、この過程で、第七スライドブロック63の左側の端面が連通溝59の左端の開口を通過した後で、第八空きキャビティ64の中の液体が連通溝59を通して第一抜き穴61に入り、同時に第六スライドブロック65が継続して第四スライドブロック48に押さえて初期状態に戻り、同時に第三通水弁29が締める時に、第一スライドブロック71が第一ばね44の弾力作用を受けて左側へ移動し、この時に第一空きキャビティ27の中の消毒水が第三抜き穴32を通して一番左側の第七抜き穴34に入り、更に第一スライドブロック71が完全に初期状態に戻る時に第四通水弁31が締め、この時に本装置がスプレイが停止する。
【００２６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
端面に照明ランプが固定的に接続されることを特徴とする請求項１に記載の安全消毒装置。
【手続補正３】
【補正対象書類名】図面
【補正対象項目名】図３
【補正方法】変更
【補正の内容】
【図３】
2019202110.tif 000006
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
装置主体、前記装置主体に設置されるスプレイ消毒装置及び前記装置主体に設置される照明装置を含み、前記スプレイ消毒装置が前記装置主体に固定的に設置され且つ左右に貫通する消毒薬液パイプを含み、前記装置主体において前記消毒薬液パイプの下側には第一空きチャンバが設置され、前記第一空きチャンバのうち左側の内壁に近接している上側の内壁には前記第一空きチャンバと前記消毒薬液パイプとを連通する第一インレットパイプが設置され、前記第一空きチャンバのうち右側の内壁に近接している上側の内壁には前記第一空きチャンバと前記消毒薬液パイプを連通する第二インレットパイプが設置され、前記第一空きチャンバの中には左右にスライドできる第一スライドブロックが設置され、前記第一スライドブロックの右側の端面と前記第一空きチャンバの右側の内壁の間に第一ばねが接続され、前記第一スライドブロックに第二空きチャンバが設置され、前記第一空きチャンバの左側の内壁に第三インレットパイプが左右に貫通し設置され、前記第二空きチャンバの上側の内壁には前記第二インレットパイプと連通できる第一抜き穴が貫通し設置され、前記第二空きチャンバの下側の内壁に第二抜き穴が上下に貫通し且つ左右に配列設置され、一番左側の前記第二抜き穴の左側の内壁には前記第一空きチャンバに連通できる第三抜き穴が設置され、前記装置主体の中には前記第一空きチャンバの上側に位置し、且つ前記第一空きチャンバと連通して接続される第三空きチャンバが設置され、前記装置主体の中には前記第三空きチャンバの左端に位置し、且つ前記第三空きチャンバと相通して接続される第四空きチャンバが設置され、前記第四空きチャンバの左側の内壁に第一モーターが固定的に設置され、前記第四空きチャンバの中には第二スライドブロックがスライドできるように係合し接続され、前記第一モーターの右端に前記第二スライドブロックとねじ山によって係合し接続されるねじ山ロッドが動力が伝達できるように接続され、前記第二スライドブロックに右に開いた第五空きチャンバが設置され、前記第五空きチャンバの上側内壁に第一楔形ブロックが固定的に接続され、前記第五空きチャンバの下側内壁には前記第一楔形ブロックの右端に位置し、且つ前後対称の第二楔形ブロックが固定的に接続され、前記第二楔形ブロックの上側には前記第一楔形ブロックの下側とスライドできるように接続されることができる第三スライドブロックがスライドできるように係合し接続され、前記第三空きチャンバの中には上下にスライドできる第四スライドブロックが設置され、その中に、前記第一スライドブロックの上側の端面には上に開口しかつ前記第四スライドブロックと当接する第一溝が設置され、前記第一溝の下側の内壁に第一圧力ブロックが固定的に設置され、前記第四スライドブロックの左側の端面には左に開いた第六空きチャンバが設置され、前記第六空きチャンバの中には上下にスライドできる第五スライドブロックが設置され、前記第五スライドブロックの下側の端面と前記第六空きチャンバの下側の内壁の間に第二ばねが接続され、前記第五スライドブロックの左側の端面に第一接続ロッドが固定的に接続され、前記第一接続ロッドの左端が前記第三スライドブロックに固定的に接続され、前記第三空きチャンバの右側の内壁に締付け装置が設置される；
前記締付け装置が前記第三空きチャンバの右側の内壁に連通し合って設置される第七空きチャンバを含み、前記第七空きチャンバの中には左右にスライドできる第六スライドブロックが設置され、その中に、前記第四スライドブロックの右側の端面には右に開口し且つ前記第六スライドブロックと係合される第二溝が設置され、前記第六スライドブロックの右側の端面と前記第七空きチャンバの右側の内壁の間に第三ばねが接続され、前記第七空きチャンバの下側の内壁に第八空きチャンバが連通し合って設置され、前記第六スライドブロックの下側の端面に前記第八空きチャンバの中に挿入されている第七スライドブロックが固定的に接続され、前記第八空きチャンバのうち左側内壁に近接している下側内壁には第四抜き穴が上下に貫通し設置され、前記第八空きチャンバのうち右側内壁に近接している下側内壁には第五抜き穴が上下に貫通し設置され、初期状態にある時、前記第五抜き穴と前記第一抜き穴が連通し合い、前記第八空きチャンバの中に連通溝が設置され、前記連通溝の二つの開口が前記第七スライドブロックの左右両側にあり且ついずれも前記第八空きチャンバと連通し合い、その中に前記第二空きチャンバの上側の内壁には前記第四抜き穴と連通し合う第六抜き穴が連通し合って設置され、初期状態にある時、前記第六抜き穴と前記第四抜き穴が左右に外れており、前記第六抜き穴の内壁に第一通水弁が固定的に設置される；
前記第一空きチャンバの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右に外れている；
前記第一インレットパイプの内壁に第二通水弁が設置され、前記第三インレットパイプの内壁に第三通水弁が固定的に設置され、前記第三抜き穴の内壁に第四通水弁が固定的に設置される；
前記装置主体に蓄電池が固定的に設置され、前記蓄電池が本装置にエネルギーを提供する；
前記装置主体の上側の端面の中部位置に接続固定柱が固定的に接続され、本装置が前記接続固定柱を通じて固定される；
前記第五スライドブロックが前記第六空きチャンバの中で上下にスライドでき、左右には移動できない；
前記照明装置が前記装置主体の下側の端面に固定的に接続される左右対称的な照明固定ブロックを含み、前記照明固定ブロックの下側の端面に照明ランプが固定的に接続されることを特徴とする安全消毒装置。
【手続補正２】
【補正対象書類名】明細書
【補正対象項目名】全文
【補正方法】変更
【補正の内容】
【発明の詳細な説明】
【技術分野】
【０００１】
本発明は家畜養殖技術分野に関し、具体的には、安全消毒装置に関する。
【背景技術】
【０００２】
数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならない。伝統的には人工で消毒薬液をすプレイして消毒を行うため、効率が低下だけでなく、スプレイの効果にも保証できず、そのため、遠隔制御だけで消毒薬液のスプレイができる安全消毒装置を提供するのが実に必要である。
【先行技術文献】
【特許文献】
【０００３】
【特許文献１】中国特許出願公開第103550800号明細書
【発明の概要】
【発明が解決しようとする課題】
【０００４】
本発明の目的は上記の背景技術に提出された問題を解決するための安全消毒装置を提供することにある。
【課題を解決するための手段】
【０００５】
本発明は以下の技術プランで実現する：本発明の安全消毒装置は、装置主体、前記装置主体に設置されるスプレイ消毒装置及び前記装置主体に設置される照明装置を含み、前記スプレイ消毒装置が前記装置主体に固定的に設置され且つ左右に貫通する消毒薬液パイプを含み、前記装置主体において前記消毒薬液パイプの下側に第一空きチャンバが設置され、前記第一空きチャンバのうち左側の内壁に近接している上側の内壁には前記第一空きチャンバと前記消毒薬液パイプを連通する第一インレットパイプが設置され、前記第一空きチャンバのうち右側の内壁に近接している上側の内壁には前記第一空きチャンバと前記消毒薬液パイプを連通する第二インレットパイプが設置され、前記第一空きチャンバの中には左右にスライドできる第一スライドブロックが設置され、前記第一スライドブロックの右側の端面と前記第一空きチャンバの右側の内壁の間に第一ばねが接続され、前記第一スライドブロックに第二空きチャンバが設置され、前記第一空きチャンバの左側の内壁に第三インレットパイプが左右に貫通し設置され、前記第二空きチャンバの上側の内壁には前記第二インレットパイプと連通できる第一抜き穴が貫通し設置され、前記第二空きチャンバの下側の内壁に第二抜き穴が上下に貫通し且つ左右に配列設置され、一番左側の前記第二抜き穴の左側の内壁には前記第一空きチャンバに連通できる第三抜き穴が設置され、前記装置主体の中には前記第一空きチャンバの上側に位置し、且つ前記第一空きチャンバと連通して接続される第三空きチャンバが設置され、前記装置主体の中には前記第三空きチャンバの左端に位置し、且つ前記第三空きチャンバと相通して接続される第四空きチャンバが設置され、前記第四空きチャンバの左側の内壁に第一モーターが固定的に設置され、前記第四空きチャンバの中には第二スライドブロックがスライドできるように係合し接続され、前記第一モーターの右端に前記第二スライドブロックとねじ山によって係合し接続されるねじ山ロッドが動力が伝達できるように接続され、前記第二スライドブロックに右に開いた第五空きチャンバが設置され、前記第五空きチャンバの上側内壁に第一楔形ブロックが固定的に接続され、前記第五空きチャンバの下側内壁には前記第一楔形ブロックの右端に位置し、且つ前後対称の第二楔形ブロックが固定的に接続され、前記第二楔形ブロックの上側には前記第一楔形ブロックの下側とスライドできるように接続されることができる第三スライドブロックがスライドできるように係合し接続され、前記第三空きチャンバの中には上下にスライドできる第四スライドブロックが設置され、その中に、前記第一スライドブロックの上側の端面には上に開口しかつ前記第四スライドブロックと当接する第一溝が設置され、前記第一溝の下側の内壁に第一圧力ブロックが固定的に設置され、前記第四スライドブロックの左側の端面には左に開いた第六空きチャンバが設置され、前記第六空きチャンバの中には上下にスライドできる第五スライドブロックが設置され、前記第五スライドブロックの下側の端面と前記第六空きチャンバの下側の内壁の間に第二ばねが接続され、前記第五スライドブロックの左側の端面に第一接続ロッドが固定的に接続され、前記第一接続ロッドの左端が前記第三スライドブロックに固定的に接続され、前記第三空きチャンバの右側の内壁に締付け装置が設置される。
【０００６】
優先的な技術プランとして、前記締付け装置が前記第三空きチャンバの右側の内壁に連通し合って設置される第七空きチャンバを含み、前記第七空きチャンバの中には左右にスライドできる第六スライドブロックが設置され、その中に、前記第四スライドブロックの右側の端面には右に開口し且つ前記第六スライドブロックと係合される第二溝が設置され、前記第六スライドブロックの右側の端面と前記第七空きチャンバの右側の内壁の間に第三ばねが接続され、前記第七空きチャンバの下側の内壁に第八空きチャンバが連通し合って設置され、前記第六スライドブロックの下側の端面に前記第八空きチャンバの中に挿入されている第七スライドブロックが固定的に接続され、前記第八空きチャンバのうち左側内壁に近接している下側内壁には第四抜き穴が上下に貫通し設置され、前記第八空きチャンバのうち右側内壁に近接している下側内壁には第五抜き穴が上下に貫通し設置され、初期状態にある時、前記第五抜き穴と前記第一抜き穴が連通し合い、前記第八空きチャンバの中に連通溝が設置され、前記連通溝の二つの開口が前記第七スライドブロックの左右両側にあり且ついずれも前記第八空きチャンバと連通し合い、その中に前記第二空きチャンバの上側の内壁には前記第四抜き穴と連通し合う第六抜き穴が連通し合って設置され、初期状態にある時、前記第六抜き穴と前記第四抜き穴が左右に外れており、前記第六抜き穴の内壁に第一通水弁が固定的に設置される。
【０００７】
優先的な技術プランとして、前記第一空きチャンバの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右に外れている。
【０００８】
優先的な技術プランとして、前記第一インレットパイプの内壁に第二通水弁が設置され、前記第三インレットパイプの内壁に第三通水弁が固定的に設置され、前記第三抜き穴の内壁に第四通水弁が固定的に設置される。
【０００９】
優先的な技術プランとして、前記装置主体に蓄電池が固定的に設置され、前記蓄電池が本装置にエネルギーを提供する。
【００１０】
優先的な技術プランとして、前記装置主体の上側の端面の中部位置に接続固定柱が固定的に接続され、本装置が前記接続固定柱を通じて固定される。
【００１１】
優先的な技術プランとして、前記第五スライドブロックが前記第六空きチャンバの中で上下にスライドでき、左右には移動できない。
【００１２】
優先的な技術プランとして、前記照明装置が前記装置主体の下側の端面に固定的に接続される左右対称的な照明固定ブロックを含み、前記照明固定ブロックの下側の端面に照明ランプが固定的に接続される。
【発明の効果】
【００１３】
本発明の有益効果は：本発明は構造が簡単で、操作が便利で、本装置によって消毒の開閉を遠隔で制御でき、入力端のパイプとスプレイの構造との間に開閉を制するバルブ部品を設計することにより、設備が使用されていない時、本装置から消毒薬剤を隔離でき、水漏れの現象を防止でき、必要以上の浪費を制限し、複数のスプレイヘッドという構造を設計することにより、消毒薬剤をスプレーする時、人工よりスプレーの効率を向上させ、労力を節約し、使用に勧める。
【図面の簡単な説明】
【００１４】
下記に図１〜３を合わせて本発明について詳しく説明する。
【００１５】
【図１】図1は本発明の安全消毒装置の内部構造概略図である。
【図２】図2は図1の「A-A」の構造概略図である。
【図３】図3は図1の「B」の拡大概略図である。
【発明を実施するための形態】
【００１６】
下記に図1−3を合わせて本発明を詳しく説明し、その中、意思の疎通をもっと便利にすることができるため、後文に出る方位を下記の通りに規定する：下記に述べた上下左右前後の方向は図1自体の投影関係の上下左右前後の方向と一致している。
【００１７】
図1〜図3が示すように、本発明の安全消毒装置は、装置主体11、前記装置主体11に設置されるスプレイ消毒装置及び前記装置主体11に設置される照明装置を含み、前記スプレイ消毒装置が前記装置主体11に固定的に設置され且つ左右に貫通する消毒薬液パイプ21を含み、前記装置主体11において前記消毒薬液パイプ21の下側には第一空きチャンバ27が設置され、前記第一空きチャンバ27のうち左側の内壁に近接している上側の内壁には前記第一空きチャンバ27と前記消毒薬液パイプ21を連通する第一インレットパイプ22が設置され、前記第一空きチャンバ27のうち右側の内壁に近接している上側の内壁には前記第一空きチャンバ27と前記消毒薬液パイプ21を連通する第二インレットパイプ42が設置され、前記第一空きチャンバ27の中には左右にスライドできる第一スライドブロック71が設置され、前記第一スライドブロック71の右側の端面と前記第一空きチャンバ43の右側の内壁の間に第一ばね44が接続され、前記第一スライドブロック71に第二空きチャンバ43が設置され、前記第一空きチャンバ43の左側の内壁に第三インレットパイプ28が左右に貫通し設置され、前記第二空きチャンバ43の上側の内壁には前記第二インレットパイプ42と連通できる第一抜き穴61が貫通し設置され、前記第二空きチャンバ43の下側の内壁に第二抜き穴33が上下に貫通し且つ左右に配列設置され、一番左側の前記第二抜き穴33の左側の内壁には前記第一空きチャンバ27に連通できる第三抜き穴32が設置され、前記装置主体11の中には前記第一空きチャンバ27の上側に位置し、且つ前記第一空きチャンバ27と連通して接続される第三空きチャンバ47が設置され、前記装置主体11の中には前記第三空きチャンバ47の左端に位置し、且つ前記第三空きチャンバ47と相通して接続される第四空きチャンバ39が設置され、前記第四空きチャンバ39の左側の内壁に第一モーター23が固定的に設置され、前記第四空きチャンバ39の中には第二スライドブロック68がスライドできるように係合し接続され、前記第一モーター23の右端に前記第二スライドブロック68とねじ山によって係合し接続されるねじ山ロッド25が動力が伝達できるように接続され、前記第二スライドブロック68に右に開いた第五空きチャンバ26が設置され、前記第五空きチャンバ26の上側内壁に第一楔形ブロック36が固定的に接続され、前記第五空きチャンバ26の下側内壁には前記第一楔形ブロック36の右端に位置し、且つ前後対称の第二楔形ブロック38が固定的に接続され、前記第二楔形ブロック38の上側には前記第一楔形ブロック36の下側とスライドできるように接続されることができる第三スライドブロック41がスライドできるように係合し接続され、前記第三空きチャンバ47の中には上下にスライドできる第四スライドブロック48が設置され、その中に、前記第一スライドブロック71の上側の端面には上に開口しかつ前記第四スライドブロック48と当接する第一溝54が設置され、前記第一溝54の下側の内壁に第一圧力ブロック55が固定的に設置され、前記第四スライドブロック48の左側の端面には左に開いた第六空きチャンバ52が設置され、前記第六空きチャンバ52の中には上下にスライドできる第五スライドブロック51が設置され、前記第五スライドブロック51の下側の端面と前記第六空きチャンバ52の下側の内壁の間に第二ばね53が接続さ���、前記第五スライドブロック51の左側の端面に第一接続ロッド46が固定的に接続され、前記第一接続ロッド46の左端が前記第三スライドブロック41に固定的に接続され、前記第三空きチャンバ47の右側の内壁に締付け装置が設置される。
【００１８】
有益的には、前記締付け装置が前記第三空きチャンバ47の右側の内壁に連通し合って設置される第七空きチャンバ67を含み、前記第七空きチャンバ67の中には左右にスライドできる第六スライドブロック65が設置され、その中に、前記第四スライドブロック48の右側の端面には右に開口し且つ前記第六スライドブロック65と係合される第二溝49が設置され、前記第六スライドブロック65の右側の端面と前記第七空きチャンバ67の右側の内壁の間に第三ばね66が接続され、前記第七空きチャンバ67の下側の内壁に第八空きチャンバ64が連通し合って設置され、前記第六スライドブロック65の下側の端面に前記第八空きチャンバ64の中に挿入されている第七スライドブロック63が固定的に接続され、前記第八空きチャンバ64のうち左側内壁に近接している下側内壁には第四抜き穴58が上下に貫通し設置され、前記第八空きチャンバ64のうち右側内壁に近接している下側内壁には第五抜き穴62が上下に貫通し設置され、初期状態にある時、前記第五抜き穴62と前記第一抜き穴61が連通し合い、前記第八空きチャンバ64の中に連通溝59が設置され、前記連通溝59の二つの開口が前記第七スライドブロック63の左右両側にあり且ついずれも前記第八空きチャンバ64と連通し合い、その中に前記第二空きチャンバ43の上側の内壁には前記第四抜き穴58と連通し合う第六抜き穴57が連通し合って設置され、初期状態にある時、前記第六抜き穴57と前記第四抜き穴58が左右に外れており、前記第六抜き穴57の内壁に第一通水弁56が固定的に設置される。
【００１９】
有益的には、前記第一空きチャンバ27の下側内壁には前記第二抜き穴33と対応する第七抜き穴34が設けられ、前記装置主体11の下側の端面には前記第七抜き穴34と相通し接続できる水煙噴射ノズル35が固定的に設置され、初期状態にある時、前記第七抜き穴34と前記第二抜き穴33が左右に外れている。
【００２０】
有益的には、前記第一インレットパイプ22の内壁に第二通水弁24が設置され、前記第三インレットパイプ28の内壁に第三通水弁29が固定的に設置され、前記第三抜き穴32の内壁に第四通水弁31が固定的に設置される。
【００２１】
有益的には、前記装置主体に蓄電池45が固定的に設置され、前記蓄電池45が本装置にエネルギーを提供する。
【００２２】
有益的には、前記装置主体11の上側の端面の中部位置に接続固定柱12が固定的に接続され、本装置が前記接続固定柱12を通じて固定される。
【００２３】
有益的には、前記第五スライドブロック51が前記第六空きチャンバ52の中で上下にスライドでき、左右には移動できない。
【００２４】
有益的には、前記照明装置が前記装置主体11の下側の端面に固定的に接続される左右対称的な照明固定ブロック81を含み、前記照明固定ブロック81の下側の端面に照明ランプ82が固定的に接続される。
【００２５】
初期状態にある時、第二通水弁24、第三通水弁29と第四通水弁がいずれも閉じる状態にあり、この時に第一スライドブロック71が第一空きチャンバ27の中に最大限度に左側へ移動し、この時に第二抜き穴33と第七抜き穴34が左右に外れており、同時に第二インレットパイプ42と第一抜き穴が左右に外れており、この時に第二スライドブロック68の左側の端面と第四空きチャンバ39の左側の内壁とが当接し、この時に第三スライドブロック41の下端面が第一楔形ブロック36の下端と当接し、この時に第五スライドブロック51が第六空きチャンバ52の中で最大限度に降下し、この時に第二ばね53が圧縮状態にある。
【００２６】
本装置を使用する過程で、この時に第二通水弁24、第三通水弁29と第四通水弁31が同時に開き、この時に消毒薬液パイプ21の中の消毒水が第一インレットパイプ22を通して第一空きチャンバ27に入り、また第三インレットパイプ28を通して第二空きチャンバ43の中に入り、この時に第一空きチャンバ27と第三インレットパイプに入った消毒薬液が第一スライドブロック71を右へ押さえ、これによって第一スライドブロック71が第一ばね44の弾力作用を抵抗して右へ移動し、その上で第一抜き穴61と第二インレットパイプ42が連通し合い、第二抜き穴33と第七抜き穴34が連通し合い、この時に消毒薬液の噴射を行い、この過程で、第一スライドブロック71が右側へ移動する時に、第四スライドブロック48が第二ばね53の牽引力の作用のもとで第一溝54に引掛り、更に第一スライドブロック71の左右への移動を制限し、同時に第六スライドブロック65が第二溝49に引っ掛って更に第四スライドブロック48の昇降をリミットし、この時に第六スライドブロック65によって第七スライドブロック63を左側へ移動させ、この時に連通溝59の二つの開口がいずれも第七スライドブロック63の右側にあり、この時に第四抜き穴58と第六抜き穴57が連通し合い、この時に第一圧力ブロック55が圧力作用を検出し、この時に第一通水弁56が閉じる状態にあり、同時に第二通水弁24が閉じる状態にあり、同時に第一モーター23が回転し、更に第二スライドブロック68が右側へ移動し、更に第一楔形ブロック36と第二楔形ブロック38によって第三スライドブロック41を上へ押さえ、更に第五スライドブロック51を上へ移動させ、この時に第二ばね53が伸張する状態にあり、スプレイを閉じる時に、第一通水弁56が開き、この時に第二空きチャンバ43の中の高圧消毒薬液が第六抜き穴57及び第四抜き穴58を通して第八空きチャンバ64に入り、更に第七スライドブロック63を右へ押さえて移動させ、更に第六スライドブロック65が第三ばね66の弾力作用を抵抗し右側へ移動して第一接続ロッド46から離脱し、この時に第四スライドブロック48が第一溝54から離脱し、この時に第一圧力ブロック55が圧力作用を検出しできずに本装置を初期状態に還元させ、この過程で、第七スライドブロック63の左側の端面が連通溝59の左端の開口を通過した後、第八空きチャンバ64の中の液体が連通溝59を通して第一抜き穴61に入り、同時に第六スライドブロック65が継続して第四スライドブロック48に押さえられて初期状態に戻り、同時に第三通水弁29が閉じる時に、第一スライドブロック71が第一ばね44の弾力作用を受けて左側へ移動し、この時に第一空きチャンバ27の中の消毒水が第三抜き穴32を通して一番左側の第七抜き穴34に入り、更に第一スライドブロック71が完全に初期状態に戻る時に第四通水弁31が閉じ、この時に本装置がスプレイが停止する。
【００２７】
本発明の有益効果は：本発明は構造が簡単で、操作が便利で、本装置によって消毒の開閉を遠隔で制御でき、入力端のパイプとスプレイの構造との間に開閉を制するバルブ部品を設計することにより、設備が使用されていない時、本装置から消毒薬剤を隔離でき、水漏れの現象を防止でき、必要以上の浪費を制限し、複数のスプレイヘッドという構造を設計することにより、消毒薬剤をスプレーする時、人工よりスプレーの効率を向上させ、労力を節約し、使用に勧める。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年5月3日(2019.5.3)
【手続補正１】
【補正対象書類名】特許請求の範囲
【補正対象項目名】全文
【補正方法】変更
【補正の内容】
【特許請求の範囲】
【請求項１】
装置主体、前記装置主体に設置されるスプレイ消毒装置及び前記装置主体に設置される照明装置を含み、前記スプレイ消毒装置が前記装置主体に固定的に設置され且つ左右に貫通する消毒薬液パイプを含み、前記装置主体において前記消毒薬液パイプの下側には第一空きチャンバが設置され、前記第一空きチャンバのうち左側の内壁に近接している上側の内壁には前記第一空きチャンバと前記消毒薬液パイプとを連通する第一インレットパイプが設置され、前記第一空きチャンバのうち右側の内壁に近接している上側の内壁には前記第一空きチャンバと前記消毒薬液パイプを連通する第二インレットパイプが設置され、前記第一空きチャンバの中には左右にスライドできる第一スライドブロックが設置され、前記第一スライドブロックの右側の端面と前記第一空きチャンバの右側の内壁の間に第一ばねが接続され、前記第一スライドブロックに第二空きチャンバが設置され、前記第一空きチャンバの左側の内壁に第三インレットパイプが左右に貫通し設置され、前記第二空きチャンバの上側の内壁には前記第二インレットパイプと連通できる第一抜き穴が貫通し設置され、前記第二空きチャンバの下側の内壁に第二抜き穴が上下に貫通し且つ左右に配列設置され、一番左側の前記第二抜き穴の左側の内壁には前記第一空きチャンバに連通できる第三抜き穴が設置され、前記装置主体の中には前記第一空きチャンバの上側に位置し、且つ前記第一空きチャンバと連通して接続される第三空きチャンバが設置され、前記装置主体の中には前記第三空きチャンバの左端に位置し、且つ前記第三空きチャンバと相通して接続される第四空きチャンバが設置され、前記第四空きチャンバの左側の内壁に第一モーターが固定的に設置され、前記第四空きチャンバの中には第二スライドブロックがスライドできるように係合し接続され、前記第一モーターの右端に前記第二スライドブロックとねじ山によって係合し接続されるねじ山ロッドが動力が伝達できるように接続され、前記第二スライドブロックに右に開いた第五空きチャンバが設置され、前記第五空きチャンバの上側内壁に第一楔形ブロックが固定的に接続され、前記第五空きチャンバの下側内壁には前記第一楔形ブロックの右端に位置し、且つ前後対称の第二楔形ブロックが固定的に接続され、前記第二楔形ブロックの上側には前記第一楔形ブロックの下側とスライドできるように接続されることができる第三スライドブロックがスライドできるように係合し接続され、前記第三空きチャンバの中には上下にスライドできる第四スライドブロックが設置され、その中に、前記第一スライドブロックの上側の端面には上に開口しかつ前記第四スライドブロックと当接する第一溝が設置され、前記第一溝の下側の内壁に第一圧力ブロックが固定的に設置され、前記第四スライドブロックの左側の端面には左に開いた第六空きチャンバが設置され、前記第六空きチャンバの中には上下にスライドできる第五スライドブロックが設置され、前記第五スライドブロックの下側の端面と前記第六空きチャンバの下側の内壁の間に第二ばねが接続され、前記第五スライドブロックの左側の端面に第一接続ロッドが固定的に接続され、前記第一接続ロッドの左端が前記第三スライドブロックに固定的に接続され、前記第三空きチャンバの右側の内壁に締付け装置が設置される；
前記締付け装置が前記第三空きチャンバの右側の内壁に連通し合って設置される第七空きチャンバを含み、前記第七空きチャンバの中には左右にスライドできる第六スライドブロックが設置され、その中に、前記第四スライドブロックの右側の端面には右に開口し且つ前記第六スライドブロックと係合される第二溝が設置され、前記第六スライドブロックの右側の端面と前記第七空きチャンバの右側の内壁の間に第三ばねが接続され、前記第七空きチャンバの下側の内壁に第八空きチャンバが連通し合って設置され、前記第六スライドブロックの下側の端面に前記第八空きチャンバの中に挿入されている第七スライドブロックが固定的に接続され、前記第八空きチャンバのうち左側内壁に近接している下側内壁には第四抜き穴が上下に貫通し設置され、前記第八空きチャンバのうち右側内壁に近接している下側内壁には第五抜き穴が上下に貫通し設置され、初期状態にある時、前記第五抜き穴と前記第一抜き穴が連通し合い、前記第八空きチャンバの中に連通溝が設置され、前記連通溝の二つの開口が前記第七スライドブロックの左右両側にあり且ついずれも前記第八空きチャンバと連通し合い、その中に前記第二空きチャンバの上側の内壁には前記第四抜き穴と連通し合う第六抜き穴が連通し合って設置され、初期状態にある時、前記第六抜き穴と前記第四抜き穴が左右に外れており、前記第六抜き穴の内壁に第一通水弁が固定的に設置される；
前記第一空きチャンバの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右に外れている；
前記第一インレットパイプの内壁に第二通水弁が設置され、前記第三インレットパイプの内壁に第三通水弁が固定的に設置され、前記第三抜き穴の内壁に第四通水弁が固定的に設置される；
前記装置主体に蓄電池が固定的に設置され、前記蓄電池が本装置にエネルギーを提供する；
前記装置主体の上側の端面の中部位置に接続固定柱が固定的に接続され、本装置が前記接続固定柱を通じて固定される；
前記第五スライドブロックが前記第六空きチャンバの中で上下にスライドでき、左右には移動できない；
前記照明装置が前記装置主体の下側の端面に固定的に接続される左右対称的な照明固定ブロックを含み、前記照明固定ブロックの下側の端面に照明ランプが固定的に接続されることを特徴とする安全消毒装置。
【手続補正２】
【補正対象書類名】明細書
【補正対象項目名】全文
【補正方法】変更
【補正の内容】
【発明の詳細な説明】
【技術分野】
【０００１】
本発明は家畜養殖技術分野に関し、具体的には、安全消毒装置に関する。
【背景技術】
【０００２】
数多くな養殖工場において、家畜の糞便が迅速な処理を受けてないので、大量な細菌や各種な虫やハエが繁殖し、環境を汚染するだけでなく、繁殖した細菌やハエ、虫などが家畜の健康にも脅威をもたらし、したがって定期的に養殖工場に消毒薬液を使って消毒を行わなければならない。伝統的には人工で消毒薬液をすプレイして消毒を行うため、効率が低下だけでなく、スプレイの効果にも保証できず、そのため、遠隔制御だけで消毒薬液のスプレイができる安全消毒装置を提供するのが実に必要である。
【先行技術文献】
【特許文献】
【０００３】
【特許文献１】中国特許出願公開第103550800号明細書
【発明の概要】
【発明が解決しようとする課題】
【０００４】
本発明の目的は上記の背景技術に提出された問題を解決するための安全消毒装置を提供することにある。
【課題を解決するための手段】
【０００５】
本発明は以下の技術プランで実現する：本発明の安全消毒装置は、装置主体、前記装置主体に設置されるスプレイ消毒装置及び前記装置主体に設置される照明装置を含み、前記スプレイ消毒装置が前記装置主体に固定的に設置され且つ左右に貫通する消毒薬液パイプを含み、前記装置主体において前記消毒薬液パイプの下側に第一空きチャンバが設置され、前記第一空きチャンバのうち左側の内壁に近接している上側の内壁には前記第一空きチャンバと前記消毒薬液パイプを連通する第一インレットパイプが設置され、前記第一空きチャンバのうち右側の内壁に近接している上側の内壁には前記第一空きチャンバと前記消毒薬液パイプを連通する第二インレットパイプが設置され、前記第一空きチャンバの中には左右にスライドできる第一スライドブロックが設置され、前記第一スライドブロックの右側の端面と前記第一空きチャンバの右側の内壁の間に第一ばねが接続され、前記第一スライドブロックに第二空きチャンバが設置され、前記第一空きチャンバの左側の内壁に第三インレットパイプが左右に貫通し設置され、前記第二空きチャンバの上側の内壁には前記第二インレットパイプと連通できる第一抜き穴が貫通し設置され、前記第二空きチャンバの下側の内壁に第二抜き穴が上下に貫通し且つ左右に配列設置され、一番左側の前記第二抜き穴の左側の内壁には前記第一空きチャンバに連通できる第三抜き穴が設置され、前記装置主体の中には前記第一空きチャンバの上側に位置し、且つ前記第一空きチャンバと連通して接続される第三空きチャンバが設置され、前記装置主体の中には前記第三空きチャンバの左端に位置し、且つ前記第三空きチャンバと相通して接続される第四空きチャンバが設置され、前記第四空きチャンバの左側の内壁に第一モーターが固定的に設置され、前記第四空きチャンバの中には第二スライドブロックがスライドできるように係合し接続され、前記第一モーターの右端に前記第二スライドブロックとねじ山によって係合し接続されるねじ山ロッドが動力が伝達できるように接続され、前記第二スライドブロックに右に開いた第五空きチャンバが設置され、前記第五空きチャンバの上側内壁に第一楔形ブロックが固定的に接続され、前記第五空きチャンバの下側内壁には前記第一楔形ブロックの右端に位置し、且つ前後対称の第二楔形ブロックが固定的に接続され、前記第二楔形ブロックの上側には前記第一楔形ブロックの下側とスライドできるように接続されることができる第三スライドブロックがスライドできるように係合し接続され、前記第三空きチャンバの中には上下にスライドできる第四スライドブロックが設置され、その中に、前記第一スライドブロックの上側の端面には上に開口しかつ前記第四スライドブロックと当接する第一溝が設置され、前記第一溝の下側の内壁に第一圧力ブロックが固定的に設置され、前記第四スライドブロックの左側の端面には左に開いた第六空きチャンバが設置され、前記第六空きチャンバの中には上下にスライドできる第五スライドブロックが設置され、前記第五スライドブロックの下側の端面と前記第六空きチャンバの下側の内壁の間に第二ばねが接続され、前記第五スライドブロックの左側の端面に第一接続ロッドが固定的に接続され、前記第一接続ロッドの左端が前記第三スライドブロックに固定的に接続され、前記第三空きチャンバの右側の内壁に締付け装置が設置される。
【０００６】
優先的な技術プランとして、前記締付け装置が前記第三空きチャンバの右側の内壁に連通し合って設置される第七空きチャンバを含み、前記第七空きチャンバの中には左右にスライドできる第六スライドブロックが設置され、その中に、前記第四スライドブロックの右側の端面には右に開口し且つ前記第六スライドブロックと係合される第二溝が設置され、前記第六スライドブロックの右側の端面と前記第七空きチャンバの右側の内壁の間に第三ばねが接続され、前記第七空きチャンバの下側の内壁に第八空きチャンバが連通し合って設置され、前記第六スライドブロックの下側の端面に前記第八空きチャンバの中に挿入されている第七スライドブロックが固定的に接続され、前記第八空きチャンバのうち左側内壁に近接している下側内壁には第四抜き穴が上下に貫通し設置され、前記第八空きチャンバのうち右側内壁に近接している下側内壁には第五抜き穴が上下に貫通し設置され、初期状態にある時、前記第五抜き穴と前記第一抜き穴が連通し合い、前記第八空きチャンバの中に連通溝が設置され、前記連通溝の二つの開口が前記第七スライドブロックの左右両側にあり且ついずれも前記第八空きチャンバと連通し合い、その中に前記第二空きチャンバの上側の内壁には前記第四抜き穴と連通し合う第六抜き穴が連通し合って設置され、初期状態にある時、前記第六抜き穴と前記第四抜き穴が左右に外れており、前記第六抜き穴の内壁に第一通水弁が固定的に設置される。
【０００７】
優先的な技術プランとして、前記第一空きチャンバの下側内壁には前記第二抜き穴と対応する第七抜き穴が設けられ、前記装置主体の下側の端面には前記第七抜き穴と相通し接続できる水煙噴射ノズルが固定的に設置され、初期状態にある時、前記第七抜き穴と前記第二抜き穴が左右に外れている。
【０００８】
優先的な技術プランとして、前記第一インレットパイプの内壁に第二通水弁が設置され、前記第三インレットパイプの内壁に第三通水弁が固定的に設置され、前記第三抜き穴の内壁に第四通水弁が固定的に設置される。
【０００９】
優先的な技術プランとして、前記装置主体に蓄電池が固定的に設置され、前記蓄電池が本装置にエネルギーを提供する。
【００１０】
優先的な技術プランとして、前記装置主体の上側の端面の中部位置に接続固定柱が固定的に接続され、本装置が前記接続固定柱を通じて固定される。
【００１１】
優先的な技術プランとして、前記第五スライドブロックが前記第六空きチャンバの中で上下にスライドでき、左右には移動できない。
【００１２】
優先的な技術プランとして、前記照明装置が前記装置主体の下側の端面に固定的に接続される左右対称的な照明固定ブロックを含み、前記照明固定ブロックの下側の端面に照明ランプが固定的に接続される。
【発明の効果】
【００１３】
本発明の有益効果は：本発明は構造が簡単で、操作が便利で、本装置によって消毒の開閉を遠隔で制御でき、入力端のパイプとスプレイの構造との間に開閉を制するバルブ部品を設計することにより、設備が使用されていない時、本装置から消毒薬剤を隔離でき、水漏れの現象を防止でき、必要以上の浪費を制限し、複数のスプレイヘッドという構造を設計することにより、消毒薬剤をスプレーする時、人工よりスプレーの効率を向上させ、労力を節約し、使用に勧める。
【図面の簡単な説明】
【００１４】
下記に図１〜３を合わせて本発明について詳しく説明する。
【００１５】
【図１】図1は本発明の安全消毒装置の内部構造概略図である。
【図２】図2は図1の「A-A」の構造概略図である。
【図３】図3は図1の「B」の拡大概略図である。
【発明を実施するための形態】
【００１６】
下記に図1−3を合わせて本発明を詳しく説明し、その中、意思の疎通をもっと便利にすることができるため、後文に出る方位を下記の通りに規定する：下記に述べた上下左右前後の方向は図1自体の投影関係の上下左右前後の方向と一致している。
【００１７】
図1〜図3が示すように、本発明の安全消毒装置は、装置主体11、前記装置主体11に設置されるスプレイ消毒装置及び前記装置主体11に設置される照明装置を含み、前記スプレイ消毒装置が前記装置主体11に固定的に設置され且つ左右に貫通する消毒薬液パイプ21を含み、前記装置主体11において前記消毒薬液パイプ21の下側には第一空きチャンバ27が設置され、前記第一空きチャンバ27のうち左側の内壁に近接している上側の内壁には前記第一空きチャンバ27と前記消毒薬液パイプ21を連通する第一インレットパイプ22が設置され、前記第一空きチャンバ27のうち右側の内壁に近接している上側の内壁には前記第一空きチャンバ27と前記消毒薬液パイプ21を連通する第二インレットパイプ42が設置され、前記第一空きチャンバ27の中には左右にスライドできる第一スライドブロック71が設置され、前記第一スライドブロック71の右側の端面と前記第一空きチャンバ43の右側の内壁の間に第一ばね44が接続され、前記第一スライドブロック71に第二空きチャンバ43が設置され、前記第一空きチャンバ43の左側の内壁に第三インレットパイプ28が左右に貫通し設置され、前記第二空きチャンバ43の上側の内壁には前記第二インレットパイプ42と連通できる第一抜き穴61が貫通し設置され、前記第二空きチャンバ43の下側の内壁に第二抜き穴33が上下に貫通し且つ左右に配列設置され、一番左側の前記第二抜き穴33の左側の内壁には前記第一空きチャンバ27に連通できる第三抜き穴32が設置され、前記装置主体11の中には前記第一空きチャンバ27の上側に位置し、且つ前記第一空きチャンバ27と連通して接続される第三空きチャンバ47が設置され、前記装置主体11の中には前記第三空きチャンバ47の左端に位置し、且つ前記第三空きチャンバ47と相通して接続される第四空きチャンバ39が設置され、前記第四空きチャンバ39の左側の内壁に第一モーター23が固定的に設置され、前記第四空きチャンバ39の中には第二スライドブロック68がスライドできるように係合し接続され、前記第一モーター23の右端に前記第二スライドブロック68とねじ山によって係合し接続されるねじ山ロッド25が動力が伝達できるように接続され、前記第二スライドブロック68に右に開いた第五空きチャンバ26が設置され、前記第五空きチャンバ26の上側内壁に第一楔形ブロック36が固定的に接続され、前記第五空きチャンバ26の下側内壁には前記第一楔形ブロック36の右端に位置し、且つ前後対称の第二楔形ブロック38が固定的に接続され、前記第二楔形ブロック38の上側には前記第一楔形ブロック36の下側とスライドできるように接続されることができる第三スライドブロック41がスライドできるように係合し接続され、前記第三空きチャンバ47の中には上下にスライドできる第四スライドブロック48が設置され、その中に、前記第一スライドブロック71の上側の端面には上に開口しかつ前記第四スライドブロック48と当接する第一溝54が設置され、前記第一溝54の下側の内壁に第一圧力ブロック55が固定的に設置され、前記第四スライドブロック48の左側の端面には左に開いた第六空きチャンバ52が設置され、前記第六空きチャンバ52の中には上下にスライドできる第五スライドブロック51が設置され、前記第五スライドブロック51の下側の端面と前記第六空きチャンバ52の下側の内壁の間に第二ばね53が接続さ���、前記第五スライドブロック51の左側の端面に第一接続ロッド46が固定的に接続され、前記第一接続ロッド46の左端が前記第三スライドブロック41に固定的に接続され、前記第三空きチャンバ47の右側の内壁に締付け装置が設置される。
【００１８】
有益的には、前記締付け装置が前記第三空きチャンバ47の右側の内壁に連通し合って設置される第七空きチャンバ67を含み、前記第七空きチャンバ67の中には左右にスライドできる第六スライドブロック65が設置され、その中に、前記第四スライドブロック48の右側の端面には右に開口し且つ前記第六スライドブロック65と係合される第二溝49が設置され、前記第六スライドブロック65の右側の端面と前記第七空きチャンバ67の右側の内壁の間に第三ばね66が接続され、前記第七空きチャンバ67の下側の内壁に第八空きチャンバ64が連通し合って設置され、前記第六スライドブロック65の下側の端面に前記第八空きチャンバ64の中に挿入されている第七スライドブロック63が固定的に接続され、前記第八空きチャンバ64のうち左側内壁に近接している下側内壁には第四抜き穴58が上下に貫通し設置され、前記第八空きチャンバ64のうち右側内壁に近接している下側内壁には第五抜き穴62が上下に貫通し設置され、初期状態にある時、前記第五抜き穴62と前記第一抜き穴61が連通し合い、前記第八空きチャンバ64の中に連通溝59が設置され、前記連通溝59の二つの開口が前記第七スライドブロック63の左右両側にあり且ついずれも前記第八空きチャンバ64と連通し合い、その中に前記第二空きチャンバ43の上側の内壁には前記第四抜き穴58と連通し合う第六抜き穴57が連通し合って設置され、初期状態にある時、前記第六抜き穴57と前記第四抜き穴58が左右に外れており、前記第六抜き穴57の内壁に第一通水弁56が固定的に設置される。
【００１９】
有益的には、前記第一空きチャンバ27の下側内壁には前記第二抜き穴33と対応する第七抜き穴34が設けられ、前記装置主体11の下側の端面には前記第七抜き穴34と相通し接続できる水煙噴射ノズル35が固定的に設置され、初期状態にある時、前記第七抜き穴34と前記第二抜き穴33が左右に外れている。
【００２０】
有益的には、前記第一インレットパイプ22の内壁に第二通水弁24が設置され、前記第三インレットパイプ28の内壁に第三通水弁29が固定的に設置され、前記第三抜き穴32の内壁に第四通水弁31が固定的に設置される。
【００２１】
有益的には、前記装置主体に蓄電池45が固定的に設置され、前記蓄電池45が本装置にエネルギーを提供する。
【００２２】
有益的には、前記装置主体11の上側の端面の中部位置に接続固定柱12が固定的に接続され、本装置が前記接続固定柱12を通じて固定される。
【００２３】
有益的には、前記第五スライドブロック51が前記第六空きチャンバ52の中で上下にスライドでき、左右には移動できない。
【００２４】
有益的には、前記照明装置が前記装置主体11の下側の端面に固定的に接続される左右対称的な照明固定ブロック81を含み、前記照明固定ブロック81の下側の端面に照明ランプ82が固定的に接続される。
【００２５】
初期状態にある時、第二通水弁24、第三通水弁29と第四通水弁がいずれも閉じる状態にあり、この時に第一スライドブロック71が第一空きチャンバ27の中に最大限度に左側へ移動し、この時に第二抜き穴33と第七抜き穴34が左右に外れており、同時に第二インレットパイプ42と第一抜き穴が左右に外れており、この時に第二スライドブロック68の左側の端面と第四空きチャンバ39の左側の内壁とが当接し、この時に第三スライドブロック41の下端面が第一楔形ブロック36の下端と当接し、この時に第五スライドブロック51が第六空きチャンバ52の中で最大限度に降下し、この時に第二ばね53が圧縮状態にある。
【００２６】
本装置を使用する過程で、この時に第二通水弁24、第三通水弁29と第四通水弁31が同時に開き、この時に消毒薬液パイプ21の中の消毒水が第一インレットパイプ22を通して第一空きチャンバ27に入り、また第三インレットパイプ28を通して第二空きチャンバ43の中に入り、この時に第一空きチャンバ27と第三インレットパイプに入った消毒薬液が第一スライドブロック71を右へ押さえ、これによって第一スライドブロック71が第一ばね44の弾力作用を抵抗して右へ移動し、その上で第一抜き穴61と第二インレットパイプ42が連通し合い、第二抜き穴33と第七抜き穴34が連通し合い、この時に消毒薬液の噴射を行い、この過程で、第一スライドブロック71が右側へ移動する時に、第四スライドブロック48が第二ばね53の牽引力の作用のもとで第一溝54に引掛り、更に第一スライドブロック71の左右への移動を制限し、同時に第六スライドブロック65が第二溝49に引っ掛って更に第四スライドブロック48の昇降をリミットし、この時に第六スライドブロック65によって第七スライドブロック63を左側へ移動させ、この時に連通溝59の二つの開口がいずれも第七スライドブロック63の右側にあり、この時に第四抜き穴58と第六抜き穴57が連通し合い、この時に第一圧力ブロック55が圧力作用を検出し、この時に第一通水弁56が閉じる状態にあり、同時に第二通水弁24が閉じる状態にあり、同時に第一モーター23が回転し、更に第二スライドブロック68が右側へ移動し、更に第一楔形ブロック36と第二楔形ブロック38によって第三スライドブロック41を上へ押さえ、更に第五スライドブロック51を上へ移動させ、この時に第二ばね53が伸張する状態にあり、スプレイを閉じる時に、第一通水弁56が開き、この時に第二空きチャンバ43の中の高圧消毒薬液が第六抜き穴57及び第四抜き穴58を通して第八空きチャンバ64に入り、更に第七スライドブロック63を右へ押さえて移動させ、更に第六スライドブロック65が第三ばね66の弾力作用を抵抗し右側へ移動して第一接続ロッド46から離脱し、この時に第四スライドブロック48が第一溝54から離脱し、この時に第一圧力ブロック55が圧力作用を検出しできずに本装置を初期状態に還元させ、この過程で、第七スライドブロック63の左側の端面が連通溝59の左端の開口を通過した後、第八空きチャンバ64の中の液体が連通溝59を通して第一抜き穴61に入り、同時に第六スライドブロック65が継続して第四スライドブロック48に押さえられて初期状態に戻り、同時に第三通水弁29が閉じる時に、第一スライドブロック71が第一ばね44の弾力作用を受けて左側へ移動し、この時に第一空きチャンバ27の中の消毒水が第三抜き穴32を通して一番左側の第七抜き穴34に入り、更に第一スライドブロック71が完全に初期状態に戻る時に第四通水弁31が閉じ、この時に本装置がスプレイが停止する。
【００２７】
本発明の有益効果は：本発明は構造が簡単で、操作が便利で、本装置によって消毒の開閉を遠隔で制御でき、入力端のパイプとスプレイの構造との間に開閉を制するバルブ部品を設計することにより、設備が使用されていない時、本装置から消毒薬剤を隔離でき、水漏れの現象を防止でき、必要以上の浪費を制限し、複数のスプレイヘッドという構造を設計することにより、消毒薬剤をスプレーする時、人工よりスプレーの効率を向上させ、労力を節約し、使用に勧める。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。